(57)【特許請求の範囲】
【請求項１】
記録トラックを構成するグルーブおよび／またはランドが記録トラック方向に所定長さの途切れた部分を有し、この途切れた部分がクロック信号を得るためのクロックマークとなっており、前記グルーブを形成する側壁部の少なくとも一方を蛇行させることによりアドレス信号が記録されている光記録媒体において、
前記クロックマークの長さと、記録トラックに照射されるレーザ光のレーザスポット径とにより、（クロックマーク長）／（レーザスポット径）＝ＣＭとしたときに、０．１１≦ＣＭ≦１．０であり、
前記クロック信号を生成するためのクロック生成用信号と前記アドレス信号に起因するアドレス漏れこみ信号とを判別するためのしきい値が、前記クロック生成用信号の振幅の変化に応じて、前記クロック生成用信号の振幅よりも小さく、前記アドレス漏れこみ信号の振幅よりも大きい値として予め記録されていることを特徴とする光記録媒体。
【請求項２】
記録トラックを構成するグルーブおよび／またはランドが記録トラック方向に所定長さの途切れた部分を有し、この途切れた部分がクロック信号を得るためのクロックマークとなっており、前記グルーブを形成する側壁部の少なくとも一方を蛇行させることによりアドレス信号が記録されている光記録媒体において、
前記クロックマークの長さと、記録トラックに照射されるレーザ光のレーザスポット径とにより、（クロックマーク長）／（レーザスポット径）＝ＣＭとしたときに、０．６６≦ＣＭ≦０．７２であり、
前記クロック信号を生成するためのクロック生成用信号と前記アドレス信号に起因するアドレス漏れこみ信号とを判別するためのしきい値が、前記クロック生成用信号の振幅の変化に応じて、前記クロック生成用信号の振幅よりも小さく、前記アドレス漏れこみ信号の振幅よりも大きい値として予め記録されていることを特徴とする光記録媒体。
【請求項３】
記録トラックを構成するグルーブおよび／またはランドが記録トラック方向に所定長さの途切れた部分を有し、この途切れた部分がクロック信号を得るためのクロックマークとなっており、前記グルーブを形成する側壁部の少なくとも一方を蛇行させることによりアドレス信号が記録されており、かつ、記録トラックに照射される波長λ１と波長λ２（λ１＞λ２）のそれぞれのレーザ光により、前記クロック信号の取得が可能な光記録媒体であって、波長λ１、λ２のレーザ光のレーザスポット径をそれぞれＤ１、Ｄ２としたときに、前記クロックマークの長さＣ１が、０．１１×Ｄ１≦Ｃ１≦Ｄ２を満たし、
前記クロック信号を生成するためのクロック生成用信号と前記アドレス信号に起因するアドレス漏れこみ信号とを判別するためのしきい値が、前記クロック生成用信号の振幅の変化に応じて、前記クロック生成用信号の振幅よりも小さく、前記アドレス漏れこみ信号の振幅よりも大きい値として予め記録されていることを特徴とする光記録媒体。
【請求項４】
前記レーザスポット径は、光の強度がレーザ出射ビームの中心強度の１／ｅ2 になる径であり、前記クロック信号を生成するためのクロック生成用信号は、タンジェンシャルプッシュプル信号であることを特徴とする請求項１から３までのいずれか１項に記載の光記録媒体。
【請求項５】
前記ランドの上面に対するグルーブの深さが０．０３５μｍ〜０．０４０μｍの範囲に設定されていることを特徴とする請求項１から４の何れか１項に記載の光記録媒体。
【請求項６】
請求項１から５までの何れか１項に記載の光記録媒体を使用し、前記光記録媒体から得られたクロック生成用信号を少なくともその振幅に基づいて検出するためのしきい値を設定するしきい値設定手段と、前記クロック生成用信号と前記しきい値とを比較してクロック生成用信号を検出するクロック生成用信号検出手段と、このクロック生成用信号検出手段にて検出されたクロック生成用信号に基づいて、前記クロック信号を生成するクロック信号生成手段とを備えていることを特徴とする光記録再生装置。
【請求項７】
請求項１から５までの何れか１項に記載の光記録媒体を使用し、前記光記録媒体から得られたクロック生成用信号とアドレス漏れこみ信号とを、少なくともそれらの振幅に基づいて判別するためのしきい値を設定するしきい値設定手段と、前記クロック生成用信号および前記アドレス漏れこみ信号と前記しきい値とを比較してクロック生成用信号とアドレス漏れこみ信号とを判別する制御信号判別手段と、この制御信号判別手段にて判別されたクロック生成用信号に基づいて、前記クロック信号を生成するクロック信号生成手段とを備えていることを特徴とする光記録再生装置。
【請求項８】
前記しきい値設定手段は、前記クロック生成用信号の振幅の変化に応じて、前記クロック生成用信号の振幅よりも小さく、前記アドレス漏れこみ信号の振幅よりも大きい値として前記しきい値を設定することを特徴とする請求項７に記載の光記録再生装置。
【請求項９】
前記制御信号判別手段は、前記しきい値設定手段によって設定されたしきい値を用いてクロック生成用信号とアドレス漏れこみ信号とを判別することを特徴とする請求項８に記載の光記録再生装置。
【発明の詳細な説明】
【０００１】
【発明の属する技術分野】
本発明は、グルーブとランドとの少なくとも一方により記録トラックが構成され、この記録トラックに信号が記録される光記録媒体、およびそのような光記録媒体を使用する光記録再生装置、並びに光記録媒体の記録再生方法に関するものである。
【０００２】
【従来の技術】
書き換え可能な高密度光記録媒体、特に光磁気記録媒体では、近年、直径１２ｃｍのいわゆるＣＤサイズにおいて、片面５〜７ＧＢという大容量を実現するフォーマットが提案され、多く使用されている。この場合には、ディスク基板を０．６ｍｍと薄くして、光ピックアップの開口数ＮＡ＝０．６を可能にし、さらに磁界変調を可能とするため単板構造として、記録再生レーザ波長λ＝６３０〜６５０ｎｍ、トラックピッチ０．６μｍ、記録線密度０．２０μｍ／ビットとしている。
【０００３】
上記の大容量記録を実現する記録フォーマットとしては、ランドとグルーブの両方において信号の記録再生が可能であり、高密度化に有利なランド／グルーブ記録方式が採用されている。
【０００４】
この記録フォーマットを使用した高密度化の例としては、特開平１１−７３６８５号公報に記載の技術が知られている。そこでは、グルーブとランドとの少なくとも一方に、所定の間隙をもって途切れた部分（所定長さの途切れた部分）、即ちクロックマークを形成し、ビームスポットをトラックの周方向に走査させて、上記クロックマークからタンジェンシャルプッシュプル信号（以下、ＴＰＰ信号と称する）を生成し、このＴＰＰ信号よりクロック信号を放出することが可能な光記録媒体が提案されている。特に、この光記録媒体においては、上記途切れた部分の長さが記録再生用のレーザスポット径０．８μｍよりも広いときにジッタの少ない有効な制御信号が得られるとの提案がなされている。
【０００５】
【発明が解決しようとする課題】
しかしながら、光記録媒体において記録再生を行うためには、情報信号の同期をとるためにクロック信号等の制御信号を記録する必要がある一方、高密度化を図るためには、なるべく前記制御信号の記録領域を小さくすることが望ましい。
【０００６】
また、上記の特開平１１−７３６８５号公報では、ランドまたはグルーブの何れか一方に所定の間隙をもって途切れた部分（所定の長さの途切れた部分）、即ちギャップを有する光記録媒体において、ギャップ長と和信号との関係を記載しているのみであり、ギャップ長とＴＰＰ信号との関係については検討されていない。さらに、ランドおよびグルーブのそれぞれに所定長さの途切れた部分（クロックマーク）を有する光記録媒体については、クロックマーク長とＴＰＰ信号との関係、およびクロックマーク長と和信号との関係が共に記載されていない。
【０００７】
本願発明者は、研究の結果、例えば、クロックマークの長さがビームスポットの径よりも長くなると、ＴＰＰの信号波形に歪みが生じることを見いだした。クロックマークの長さがビームスポットの径よりも長くなると、特に、ゼロ・クロス点でのＴＰＰ信号波形の歪みが大きくなり、クロック信号の検出誤差が大きくなるといった問題点を生じることになる。
【０００８】
また、片側ウォブルによりアドレス信号を検出する方法においては、アドレス信号がプッシュプル（ＰＰ）信号により検出される。しかしながら、片面ウォブルからは、ＰＰ信号だけでなく、ＴＰＰ信号も出力される。このＴＰＰ信号は、アドレスのもれ込み信号であり、その振幅がクロック信号を検出するためのＴＰＰ信号の振幅よりも小さくなければ、クロック信号として誤って検出されてしまうという問題点を有する。
【０００９】
本発明は、上記の課題を解決するためになされたものであって、制御信号の記録領域を小さくして高密度記録再生が可能であり、かつ前記制御信号を得るためのクロックマークの長さとクロックマークに照射されるビームスポットの径との関係を適切に設定することにより、波形に歪みのない前記制御信号を再生でき、この結果、ジッタの少ない状態のクロック信号を生成することができる光記録媒体、光記録再生装置および光記録媒体の記録再生方法の提供を目的としている。
【００１０】
【課題を解決するための手段】
上記の課題を解決するために、本発明の光記録媒体は、記録トラックを構成するグルーブおよび／またはランドが記録トラック方向に所定長さの途切れた部分を有し、この途切れた部分が制御信号、例えばクロック信号を得るための制御信号マーク、例えばクロックマークとなっている光記録媒体において、前記制御信号マークの長さと、記録トラックに照射されるレーザスポット径とにより、（制御信号マーク長）／（レーザスポット径）＝ＣＭとしたときに、ＣＭ≦１．０  であることを特徴としている。
【００１１】
制御信号マークは光ピックアップにて再生され、これにより、例えばタンジェンシャルプッシュプル（ＴＰＰ）信号が得られ、このＴＰＰ信号から制御信号、例えばクロック信号が生成される。
【００１２】
本願発明者は、歪みのない制御信号生成用ＴＰＰ信号を得るための制御信号マーク長とレーザスポット径との関係について研究し、上記の関係を見いだした。即ち、（制御信号マーク長）／（レーザスポット径）＝ＣＭとしたときに、ＣＭ≦１．０とすることにより、歪みのない制御信号生成用ＴＰＰ信号を得ることができた。これにより、ジッタの少ない状態の制御信号を生成することができる。
【００１３】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【００１４】
本発明のさらに他の光記録媒体は、記録トラックを構成するグルーブおよび／またはランドが記録トラック方向に所定長さの途切れた部分を有し、この途切れた部分が制御信号を得るための制御信号マークとなっている光記録媒体において、前記制御信号マークの長さと、記録トラックに照射されるレーザスポット径とにより、（制御信号マーク長）／（レーザスポット径）＝ＣＭとしたときに、０．６６≦ＣＭ≦０．７２  であることを特徴としている。
【００１５】
制御信号マークは光ピックアップにて再生され、これにより、例えばタンジェンシャルプッシュプル（ＴＰＰ）信号が得られ、この制御信号生成用ＴＰＰ信号から制御信号、例えばクロック信号が生成される。
【００１６】
光ピックアップからの再生信号より、前記制御信号生成用ＴＰＰ信号を検出する際には、光ピックアップからの再生信号の振幅が所定のしきい値と比較され、制御信号生成用ＴＰＰ信号が判別される。このとき、この判別を正確に行うには、制御信号生成用ＴＰＰ信号の振幅を大きくすることが好ましい。
【００１７】
そこで、本願発明者は、制御信号生成用ＴＰＰ信号の振幅を大きくすることができる制御信号マーク長とレーザスポット径との関係について研究し、上記の関係を見いだした。
【００１８】
即ち、（制御信号マーク長）／（レーザスポット径）＝ＣＭとしたときに、０．６６≦ＣＭ≦０．７２とすることにより、振幅の大きい制御信号生成用ＴＰＰ信号を得ることができた。これにより、良好な制御信号を確実にかつ歪みのない状態で得ることができる。
【００１９】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【００２０】
本発明のさらに他の光記録媒体は、記録トラックを構成するグルーブおよび／またはランドが記録トラック方向に所定長さの途切れた部分を有し、この途切れた部分が制御信号を得るための制御信号マークとなっており、かつ波長λ１と波長λ２（λ１＞λ２）のレーザ光により記録と再生との少なくとも一方が可能な光記録媒体であって、波長λ１、λ２のレーザ光のレーザスポット径をそれぞれＤ１、Ｄ２としたときに、前記制御信号マークの長さＣ１が、０．６６×Ｄ２≦Ｃ１≦０．７２×Ｄ１  を満たすことを特徴としている。
【００２１】
制御信号マークは光ピックアップにて再生され、これにより、例えばタンジェンシャルプッシュプル（ＴＰＰ）信号が得られ、この制御信号生成用ＴＰＰ信号から制御信号、例えばクロック信号が生成される。
【００２２】
光ピックアップからの再生信号より、前記制御信号生成用ＴＰＰ信号を検出する際には、光ピックアップからの再生信号の振幅が所定のしきい値と比較され、制御信号生成用ＴＰＰ信号が判別される。このとき、この判別を正確に行うには、制御信号生成用ＴＰＰ信号の振幅を大きくすることが好ましい。
【００２３】
そこで、本願発明者は、制御信号生成用ＴＰＰ信号の振幅を大きくすることができる制御信号マーク長とレーザスポット径との関係について研究し、上記の関係を見いだした。さらにこの際には、光記録媒体に汎用性を持たせるために、波長λ１と波長λ２とのレーザ光を使用する場合、例えば赤色半導体レーザ搭載の光ピックアップを使用する場合と青紫色半導体レーザ搭載の光ピックアップを使用する場合とに対応可能とする点も考慮した。
【００２４】
即ち、波長λ１、λ２（λ１＞λ２）のレーザ光のレーザスポット径をそれぞれＤ１、Ｄ２としたときに、制御信号マークの長さＣ１が、０．６６×Ｄ２≦Ｃ１≦０．７２×Ｄ１  を満たす構成とすることにより、波長λ１、λ２の何れのレーザ光を使用した場合においても、振幅の大きい制御信号生成用ＴＰＰ信号を得ることができた。これにより、良好な制御信号を、例えば赤色半導体レーザ搭載の光ピックアップと青紫色半導体レーザ搭載の光ピックアップとの何れを使用した場合においても、確実にかつ歪みのない状態で得ることができる。
【００２５】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【００２６】
本発明の他の光記録媒体は、記録トラックを構成するグルーブおよび／またはランドが記録トラック方向に所定長さの途切れた部分を有し、この途切れた部分が第１の制御信号を得るための制御信号マークとなっており、前記グルーブを形成する側壁部の少なくとも一方を蛇行させることにより第２の制御信号が記録されている光記録媒体において、前記制御信号マークの長さと、記録トラックに照射されるレーザスポット径とにより、（制御信号マーク長）／（レーザスポット径）＝ＣＭとしたときに、
０．１１≦ＣＭ≦１．０  であることを特徴としている。
【００２７】
光記録媒体においては、制御信号マークを光ピックアップにて再生することにより、第１の制御信号、例えばタンジェンシャルプッシュプル（ＴＰＰ）信号が得られ、このＴＰＰ信号から新たな制御信号、例えばクロック信号が生成される。また、グルーブ側壁の蛇行部分を再生することにより、例えばプッシュプル（ＰＰ）信号が得られ、このＰＰ信号から、例えばアドレス信号（第２の制御信号）が生成される。また、グルーブ側壁の蛇行部分を再生することにより、ＰＰ信号だけでなくＴＰＰ信号も出力される。このＴＰＰ信号はアドレスの洩れ込み信号である。
【００２８】
第１の制御信号と第２の制御信号とを含む光ピックアップからの再生信号より、例えば第１の制御信号を取り出す際には、第１および第２の制御信号の振幅が所定のしきい値と比較され、両制御信号が判別される。さらに第１の制御信号を正確に検出するには、第１の制御信号を、グルーブ側壁の蛇行部分を再生することにより検出されるＴＰＰ信号（アドレス洩れ込み信号）の振幅より大きくすることが必要である。
【００２９】
そこで、本願発明者は、第１の制御信号の振幅を、グルーブ側壁の蛇行部分を再生することにより検出されるＴＰＰ信号（アドレス洩れ込み信号）の振幅より大きくすることができる制御信号マーク長とレーザスポット径との関係について研究し、上記の関係を見いだした。
【００３０】
即ち、（制御信号マーク長）／（レーザスポット径）＝ＣＭとしたときに、０．１１≦ＣＭ≦１．０とすることにより、第１の制御信号をグルーブ側壁の蛇行部分を再生することにより検出されるＴＰＰ信号（アドレス洩れ込み信号）よりも大きくすることができた。したがって、第１の制御信号とグルーブ側壁の蛇行部分を再生することにより検出されるＴＰＰ信号（アドレス洩れ込み信号）とを正確に判別でき、この結果、制御信号の検出を確実に行うことができ、かつ歪みのない制御信号を得ることができる。
【００３１】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【００３２】
本発明のさらに他の光記録媒体は、記録トラックを構成するグルーブおよび／またはランドが記録トラック方向に所定長さの途切れた部分を有し、この途切れた部分が第１の制御信号を得るための制御信号マークとなっており、前記グルーブを形成する側壁部の少なくとも一方を蛇行させることにより第２の制御信号が記録されている光記録媒体において、前記制御信号マークの長さと、記録トラックに照射されるレーザスポット径とにより、（制御信号マーク長）／（レーザスポット径）＝ＣＭとしたときに、０．６６≦ＣＭ≦０．７２  であることを特徴としている。
【００３３】
光記録媒体においては、制御信号マークを光ピックアップにて再生することにより、第１の制御信号、例えばタンジェンシャルプッシュプル（ＴＰＰ）信号が得られ、このＴＰＰ信号から新たな制御信号、例えばクロック信号が生成される。また、グルーブ側壁の蛇行部分を再生することにより、例えばプッシュプル（ＰＰ）信号が得られ、このＰＰ信号から、例えばアドレス信号（第２の制御信号）が生成される。また、グルーブ側壁の蛇行部分を再生することにより、ＰＰ信号だけでなくＴＰＰ信号も出力される。このＴＰＰ信号はアドレスの洩れ込み信号である。
【００３４】
第１の制御信号と第２の制御信号とを含む光ピックアップからの再生信号より、例えば第１の制御信号を取り出す際には、第１および第２の制御信号の振幅が所定のしきい値と比較され、両制御信号が判別される。このとき、両制御信号を正確に判別するには、例えば、第１の制御信号の振幅を大きくすることが好ましい。
【００３５】
そこで、本願発明者は、第１の制御信号の振幅を大きくすることができる制御信号マーク長とレーザスポット径との関係について研究し、上記の関係を見いだした。
【００３６】
即ち、（制御信号マーク長）／（レーザスポット径）＝ＣＭとしたときに、０．６６≦ＣＭ≦０．７２とすることにより、振幅の大きい第１の制御信号を得ることができた。したがって、第１の制御信号とグルーブ側壁の蛇行部分を再生することにより検出されるＴＰＰ信号（アドレス洩れ込み信号）とを正確に判別でき、この結果、制御信号の検出を確実に行うことができ、かつ歪みのない制御信号を得ることができる。
【００３７】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【００３８】
本発明のさらに他の光記録媒体は、記録トラックを構成するグルーブおよび／またはランドが記録トラック方向に所定長さの途切れた部分を有し、この途切れた部分が第１の制御信号を得るための制御信号マークとなっており、前記グルーブを形成する側壁部の少なくとも一方を蛇行させることにより第２の制御信号が記録されており、かつ波長λ１と波長λ２（λ１＞λ２）のレーザ光により記録と再生との少なくとも一方が可能な光記録媒体であって、波長λ１、λ２のレーザ光のレーザスポット径をそれぞれＤ１、Ｄ２としたときに、前記制御信号マークの長さＣ１が、０．１１×Ｄ１≦Ｃ１≦Ｄ２  を満たすことを特徴としている。
【００３９】
光記録媒体においては、制御信号マークを光ピックアップにて再生することにより、第１の制御信号、例えばタンジェンシャルプッシュプル（ＴＰＰ）信号が得られ、このＴＰＰ信号から新たな制御信号、例えばクロック信号が生成される。また、グルーブ側壁の蛇行部分を再生することにより、例えばプッシュプル（ＰＰ）信号が得られ、このＰＰ信号から、例えばアドレス信号（第２の制御信号）が生成される。また、グルーブ側壁の蛇行部分を再生することにより、ＰＰ信号だけでなくＴＰＰ信号も出力される。このＴＰＰ信号はアドレスの洩れ込み信号である。
【００４０】
第１の制御信号と第２の制御信号とを含む光ピックアップからの再生信号より、例えば第１の制御信号を取り出す際には、第１および第２の制御信号の振幅が所定のしきい値と比較され、両制御信号が判別される。さらに第１の制御信号を正確に検出するには、第１の制御信号を、グルーブ側壁の蛇行部分を再生することにより検出されるＴＰＰ信号（アドレス洩れ込み信号）の振幅より大きくすることが必要である。
【００４１】
そこで、本願発明者は、第１の制御信号の振幅を、グルーブ側壁の蛇行部分を再生することにより検出されるＴＰＰ信号（アドレス洩れ込み信号）の振幅より大きくすることができる制御信号マーク長とレーザスポット径との関係について研究し、上記の関係を見いだした。さらにこの際には、光記録媒体に汎用性を持たせるために、波長λ１と波長λ２とのレーザ光を使用する場合、例えば赤色半導体レーザ搭載の光ピックアップを使用する場合と青紫色半導体レーザ搭載の光ピックアップを使用する場合とに対応可能とする点も考慮した。
【００４２】
即ち、波長λ１、λ２（λ１＞λ２）のレーザ光のレーザスポット径をそれぞれＤ１、Ｄ２としたときに、制御信号マークの長さＣ１が、０．１１×Ｄ１≦Ｃ１≦Ｄ２  を満たす構成とすることにより、波長λ１、λ２の何れのレーザ光を使用した場合においても、第１の制御信号をグルーブ側壁の蛇行部分を再生することにより検出されるＴＰＰ信号（アドレス洩れ込み信号）よりも大きくすることができた。したがって、第１の制御信号を、例えば赤色半導体レーザ搭載の光ピックアップと青紫半導体レーザ搭載の光ピックアップとの何れを使用した場合においても、正確に検出でき、この結果、制御信号の検出を確実に行うことができ、かつ歪みのない制御信号を得ることができる。
【００４３】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【００４４】
上記の光記録媒体は、前記ランドの上面に対するグルーブの深さが０．０３５μｍ〜０．０４０μｍの範囲に設定されている構成としてもよい。
【００４５】
本願発明者は、光ピックアップの再生信号から得られる制御信号の振幅を大きくすることができるグルーブの深さについて研究し、上記の数値範囲を見いだした。この際には、光記録媒体に汎用性を持たせるために、赤色半導体レーザ搭載の光ピックアップを使用する場合と青紫色半導体レーザ搭載の光ピックアップを使用する場合とに対応可能とする点も考慮した。
【００４６】
したがって、グルーブの深さを上記の範囲に設定することにより、光ピックアップの再生信号から、赤色半導体レーザ搭載の光ピックアップと青紫色半導体レーザ搭載の光ピックアップとの何れを使用した場合においても、制御信号を適切に検出することができる。
【００４７】
本発明の光記録再生装置は、記録トラックを構成するグルーブおよび／またはランドが記録トラック方向に所定長さの途切れた部分を有し、この途切れた部分が制御信号、例えばクロック信号を得るための制御信号マーク、例えばクロックマークとなっている光記録媒体において、前記制御信号マークの長さと、記録トラックに照射されるレーザスポット径とにより、（制御信号マーク長）／（レーザスポット径）＝ＣＭとしたときに、ＣＭ≦１．０、もしくは、０．６６≦ＣＭ≦０．７２である光記録媒体、または波長λ１、λ２のレーザ光のレーザスポット径をそれぞれＤ１、Ｄ２としたときに、前記制御信号マークの長さＣ１が、０．６６×Ｄ２≦Ｃ１≦０．７２×Ｄ１  を満たす光記録媒体を使用し、前記の光記録媒体から得られた制御信号を少なくともその振幅に基づいて検出するためのしきい値を設定するしきい値設定手段と、前記制御信号と前記しきい値とを比較して制御信号を検出する制御信号検出手段と、この制御信号検出手段にて検出された制御信号に基づいて、新たな制御信号を生成する制御信号生成手段とを備えていることを特徴としている。
【００４８】
上記の構成によれば、ＣＭを、ＣＭ≦１．０とした場合には、制御信号検出手段からは歪みのない制御信号を得ることができ、これにより、制御信号生成手段では、ジッタの少ない状態の新たな制御信号を生成することができる。
【００４９】
また、上記ＣＭを、０．６６≦ＣＭ≦０．７２とした場合には、制御信号検出手段からは振幅の大きい制御信号を得ることができる。これにより、制御信号生成手段では、良好な制御信号を確実にかつ歪みのない状態で生成することができる。
【００５０】
また、制御信号マークの長さＣ１が、０．６６×Ｄ２≦Ｃ１≦０．７２×Ｄ１を満たす光記録媒体を使用した場合には、波長λ１、λ２の何れのレーザ光を使用した場合においても、振幅の大きい制御信号生成用ＴＰＰ信号を得ることができる。これにより、良好な制御信号を、例えば赤色半導体レーザ搭載の光ピックアップと青紫色半導体レーザ搭載の光ピックアップとの何れを使用した場合においても、確実にかつ歪みのない状態で得ることができる。
【００５１】
本発明の他の光記録再生装置は、記録トラックを構成するグルーブおよび／またはランドが記録トラック方向に所定長さの途切れた部分を有し、この途切れた部分が第１の制御信号を得るための制御信号マークとなっており、前記グルーブを形成する側壁部の少なくとも一方を蛇行させることにより第２の制御信号が記録されている光記録媒体において、前記制御信号マークの長さと、記録トラックに照射されるレーザスポット径とにより、（制御信号マーク長）／（レーザスポット径）＝ＣＭとしたときに、０．１１≦ＣＭ≦１．０、もしくは、０．６６≦ＣＭ≦０．７２である光記録媒体、または波長λ１、λ２のレーザ光のレーザスポット径をそれぞれＤ１、Ｄ２としたときに、前記制御信号マークの長さＣ１が、０．１１×Ｄ１≦Ｃ１≦Ｄ２  を満たす光記録媒体を使用し、前記の光記録媒体から得られた第１の制御信号と第２の制御信号とを、少なくともそれらの振幅に基づいて判別するためのしきい値を設定するしきい値設定手段と、前記第１および第２の制御信号と前記しきい値とを比較して第１の制御信号と第２の制御信号とを判別する制御信号判別手段と、この制御信号判別手段にて判別された制御信号に基づいて、第３の制御信号を生成する制御信号生成手段とを備えていることを特徴としている。
【００５２】
上記の構成によれば、ＣＭを、０．１１≦ＣＭ≦１．０とした場合には、第１の制御信号をグルーブ側壁の蛇行部分を再生することにより検出されるＴＰＰ信号（アドレス洩れ込み信号）よりも大きくすることができる。したがって、制御信号判別手段は、第１の制御信号を、例えば赤色半導体レーザ搭載の光ピックアップと青紫半導体レーザ搭載の光ピックアップとの何れを使用した場合においても、正確に検出できる。この結果、制御信号の検出を確実に行うことができ、かつ制御信号生成手段は、歪みのない第３の制御信号を生成することができる。
【００５３】
また、上記ＣＭを、０．６６≦ＣＭ≦０．７２とした場合には、第１の制御信号の振幅を大きくすることができる。したがって、制御信号判別手段は、第１の制御信号とを、赤色半導体レーザ搭載の光ピックアップと青紫色半導体レーザ搭載の光ピックアップとの何れを使用した場合においても、正確に検出できる。この結果、制御信号の検出を確実に行うことができ、かつ制御信号生成手段は、歪みのない第３の制御信号を生成することができる。
【００５４】
また、制御信号マークの長さＣ１が、０．１１×Ｄ１≦Ｃ１≦Ｄ２  を満たす光記録媒体を使用した場合には、波長λ１、λ２の何れのレーザ光を使用した場合においても、第１の制御信号をグルーブ側壁の蛇行部分を再生することにより検出されるＴＰＰ信号（アドレス洩れ込み信号）よりも大きくすることができる。したがって、第１の制御信号を、例えば赤色半導体レーザ搭載の光ピックアップと青紫半導体レーザ搭載の光ピックアップとの何れを使用した場合においても、正確に検出でき、この結果、制御信号の検出を確実に行うことができ、かつ歪みのない制御信号を得ることができる。
【００５５】
本発明の他の光記録媒体の記録再生方法は、記録トラックを構成するグルーブおよび／またはランドが記録トラック方向に所定長さの途切れた部分を有し、この途切れた部分が制御信号を得るための制御信号マークとなっている光記録媒体に対して、情報の記録と再生との少なくとも一方を行う記録再生方法において、前記光記録媒体に対して照射するレーザ光のレーザスポット径をＤ、前記制御信号マークの長さをＣ１としたときに、０．６６×Ｄ≦Ｃ１≦０．７２×Ｄ  満たすように設定することを特徴とている。
【００５６】
制御信号マークは光ピックアップにて再生され、これにより、例えばタンジェンシャルプッシュプル（ＴＰＰ）信号が得られ、この制御信号生成用ＴＰＰ信号から制御信号、例えばクロック信号が生成される。
【００５７】
光ピックアップからの再生信号より、前記制御信号生成用ＴＰＰ信号を検出する際には、光ピックアップからの再生信号の振幅が所定のしきい値と比較され、制御信号生成用ＴＰＰ信号が判別される。このとき、この判別を正確に行うには、制御信号生成用ＴＰＰ信号の振幅を大きくすることが好ましい。
【００５８】
そこで、本願発明者は、制御信号生成用ＴＰＰ信号の振幅を大きくすることができる制御信号マーク長とレーザスポット径との関係について研究し、上記の関係を見いだした。
【００５９】
即ち、光記録媒体に対して照射するレーザ光のレーザスポット径をＤ、制御信号マークの長さをＣ１としたときに、０．６６×Ｄ≦Ｃ１≦０．７２×Ｄ  満たすように設定することにより、振幅の大きい制御信号生成用ＴＰＰ信号を得ることができた。これにより、良好な制御信号を確実にかつ歪みのない状態で得ることができる。
【００６０】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【００６１】
本発明の光記録媒体の記録再生方法は、記録トラックを構成するグルーブおよび／またはランドが記録トラック方向に所定長さの途切れた部分を有し、この途切れた部分が第１の制御信号を得るための制御信号マークとなっており、前記グルーブを形成する側壁部の少なくとも一方を蛇行させることにより第２の制御信号が記録されている光記録媒体に対して、情報の記録と再生との少なくとも一方を行う記録再生方法において、前記光記録媒体に対して照射するレーザ光のレーザスポット径をＤ、前記制御信号マークの長さをＣ１としたときに、０．１１×Ｄ≦Ｃ１≦Ｄ  を満たすように設定することを特徴としている。
【００６２】
光記録媒体においては、制御信号マークを光ピックアップにて再生することにより、第１の制御信号、例えばタンジェンシャルプッシュプル（ＴＰＰ）信号が得られ、このＴＰＰ信号から新たな制御信号、例えばクロック信号が生成される。また、グルーブ側壁の蛇行部分を再生することにより、例えばプッシュプル（ＰＰ）信号が得られ、このＰＰ信号から、例えばアドレス信号（第２の制御信号）が生成される。また、グルーブ側壁の蛇行部分を再生することにより、ＰＰ信号だけでなくＴＰＰ信号も出力される。このＴＰＰ信号はアドレスの洩れ込み信号である。
【００６３】
第１の制御信号と第２の制御信号とを含む光ピックアップからの再生信号より、例えば第１の制御信号を取り出す際には、第１および第２の制御信号の振幅が所定のしきい値と比較され、両制御信号が判別される。さらに第１の制御信号を正確に検出するには、第１の制御信号を、グルーブ側壁の蛇行部分を再生することにより検出されるＴＰＰ信号（アドレス洩れ込み信号）の振幅より大きくすることが必要である。
【００６４】
そこで、本願発明者は、第１の制御信号の振幅を、グルーブ側壁の蛇行部分を再生することにより検出されるＴＰＰ信号（アドレス洩れ込み信号）の振幅より大きくすることができる制御信号マーク長とレーザスポット径との関係について研究し、上記の関係を見いだした。
【００６５】
即ち、光記録媒体に対して照射するレーザ光のレーザスポット径をＤ、制御信号マークの長さをＣ１としたときに、０．１１×Ｄ≦Ｃ１≦Ｄ  を満たすように設定することにより、第１の制御信号の振幅を第２の制御信号の振幅よりも大きくすることができた。第１の制御信号とグルーブ側壁の蛇行部分を再生することにより検出されるＴＰＰ信号（アドレス洩れ込み信号）とを正確に判別でき、この結果、制御信号の検出を確実に行うことができ、かつ歪みのない制御信号を得ることができる。
【００６６】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【００６７】
【発明の実施の形態】
本発明の実施の一形態を図１ないし図２１に基づいて以下に説明する。なお、ここでの説明に用いるレーザビームのスポット径は、強度がレーザ出射ビームの中心強度の１／ｅ2 になる径としている。
【００６８】
図１に示すように、本実施の形態の光記録媒体１は例えば光磁気記録媒体からなる。光記録媒体１は、ランド／グルーブ記録方式を採用しており、記録トラックを構成するグルーブＧおよびランドＬを有している。これらグルーブＧとランドＬとは、ディスク形状をなす光記録媒体１の径方向において交互に形成されており、それらの幅ＧＷ、ＬＷはほぼ等しく設定されている。
【００６９】
上記グルーブＧおよびランドＬは、同心円状あるいはスパイラル状に形成される。したがって、グルーブＧとランドＬとは共に、スパイラル構造あるいは同心円構造となる。
【００７０】
光記録媒体１では、上記グルーブＧが途中で区切られ、ミラーマーク部Ｍが形成されている。グルーブＧは、基板に凹部として形成される一方、ミラーマーク部Ｍは、凹部ではなくランドＬと同じ高さを持つ平坦部となっている。したがって、上記ミラーマーク部ＭがグルーブＧの途切れた部分、即ちクロックマーク（制御信号マーク）となる。
【００７１】
一方、ランドＬは、光記録媒体１の径方向に隣り合うグルーブＧの間の領域であり、上記ミラーマーク部Ｍと同じ高さの平坦面を構成している。ランドＬは、グルーブＧとは逆に、凹部であるピットＰを形成することにより途中で区切られる。したがって、上記ピットＰがランドＬの途切れた部分、即ちクロックマークとなる。以下、このクロックマークが形成された各領域を、クロック領域Ｃと称する。
【００７２】
グルーブＧにおける一方の側壁には、その側壁面を蛇行させること、即ち径方向へ凹凸状に変化させることによりウォブル２（片側ウォブル）が形成されている。このウォブル２にはアドレス（第２の制御信号）が記録されている。ウォブル２は、凹部の深さ（凸部の高さ）がＡ１、振幅がＡ２（＝２×Ａ１）、振幅の周期がＡ３、記録トラック方向における凹部の長さ（凸部の長さ）がＡ４（＝Ａ３／２）となっている。以下、このウォブル２が形成された領域をアドレス領域Ａとする。
【００７３】
次に、上記構成の光記録媒体１でのクロック信号の生成方法について説明する。
光記録媒体１において、グルーブＧの中心をトラックセンターとしてレーザビーム、即ちビームスポット３を照射し、反射光をレーザビームの走査方向に２分割したフォトディテクタＸ、Ｙにて検出すると、図２（ａ）に信号ＯＧＣにて示すようなＴＰＰ信号（Ｘ−Ｙ）が得られる。なお、上記フォトディテクタＸ、Ｙは、便宜上、図１のビームスポット３において領域Ｘ、Ｙとして示している。
【００７４】
同様に、ランドＬの中心をトラックセンターとしてレーザビームを照射し、その反射光をレーザビームの走査方向に２分割したフォトディテクタＸ、Ｙにて検出すると、図２（ｂ）に信号ＯＬＣにて示すようなＴＰＰ信号（Ｘ−Ｙ）が得られる。そこで、これらＴＰＰ信号（第１の制御信号）からゼロ・クロス点Ｚを抽出し、クロック信号（第３の制御信号）を生成する。
【００７５】
一方、アドレス信号はＰＰ信号より検出されるが、図２（ａ）（ｂ）の信号ＯＧＡおよび信号ＯＬＡに示すように、アドレス領域Ａにおいても、ＴＰＰ信号（アドレスの洩れ込み信号）が発生する。そこで、クロック信号生成用ＴＰＰ信号を検出するためのしきい値Ｒは、上記アドレス洩れ込み信号ＯＧＡおよびＯＬＡを排除するため、信号ＯＧＣおよびＯＬＣの振幅より小さく、かつ信号ＯＧＡおよびＯＬＡの振幅よりも大きくなるように設定する。
【００７６】
ここで、しきい値Ｒは、光記録媒体１の記録再生条件の違いによって変更する必要がある。即ち、記録再生する光記録媒体１の反射率が異なる場合や再生パワーの差異により、光記録媒体１からの反射光量が異なる場合、クロック生成用ＴＰＰ信号ＯＧＣ（ＯＬＣ）の振幅は変化する。また、クロック生成用ＴＰＰ信号ＯＧＣ（ＯＬＣ）の変化と比例して、アドレス洩れ込み信号ＯＧＡ（ＯＬＡ）の振幅も変化する。
【００７７】
したがって、しきい値Ｒは、光記録媒体１からの反射率に対応して光記録再生装置１１にて制御するか、または光記録媒体１に適したしきい値Ｒの情報を、あらかじめ光記録媒体１に書き込んでおき、再生時にその情報を読み出して、光記録再生装置１１側にてしきい値Ｒを設定するようにしてもよい。
【００７８】
上記の光記録媒体１は、例えば図３に示す構成の光記録再生装置１１に使用される。この光記録再生装置１１は、上記光記録媒体１、光ピックアップ１２、スピンドルモータ１３、ピックアップ制御部１４、信号再生部１５、しきい値設定部（しきい値設手段）１６およびモータ制御部１７を備えている。
【００７９】
光ピックアップ１２は、光記録媒体１に記録された情報を読み出して電気信号に変換する。スピンドルモータ１３は、光記録媒体１を所定の回転速度で回転させる。ピックアップ制御部１４は、トラッキング制御部１４ａとフォーカス制御１４ｂとを備え、光ピックアップ１２から出力される出力誤差信号に基づいて、上記制御部１４ａ、１４ｂによりトラッキング制御およびフォーカス制御を行なう。
【００８０】
信号再生部１５は、情報信号再生部１５ａ、アドレス信号再生部１５ｂおよびクロック信号再生部１５ｃを備え、光ピックアップ１２から出力される再生信号に基づき、上記再生部１５ａ〜１５ｃにより、情報信号、アドレス信号およびクロック信号を生成する。
【００８１】
しきい値設定部１６は、光ピックアップ１２から出力される再生信号に基づき、光記録媒体１の記録再生条件に応じてしきい値を設定する。モータ制御部１７は、クロック信号再生部１５ｃから供給されるクロック信号に基づいて、スピンドルモータ１３を制御する。
【００８２】
上記のクロック信号再生部１５ｃは、図４に示す構成となっている。同図に示すように、クロック信号再生部１５ｃは、ＴＰＰ信号検出部２１、信号振幅比較部（制御信号検出手段、制御信号判別手段）２２、ゼロ・クロス点抽出部２３およびクロック信号生成部（制御信号生成手段）２４を備えている。
【００８３】
ＴＰＰ信号検出部２１は、光ピックアップ１２より出力される再生信号からＴＰＰ信号、即ち前記のクロック生成用ＴＰＰ信号ＯＧＣ（ＯＬＣ）およびアドレス洩れ込み信号ＯＧＡ（ＯＬＡ）を検出する。信号振幅比較部２２は、クロック生成用ＴＰＰ信号ＯＧＣ（ＯＬＣ）およびアドレス洩れ込み信号ＯＧＡ（ＯＬＡ）の振幅としきい値Ｒとを比較する。ゼロ・クロス点抽出部２３は、信号振幅比較部２２での比較の結果、しきい値Ｒより大きい振幅の信号、即ちクロック生成用ＴＰＰ信号ＯＧＣ（ＯＬＣ）について、そのゼロ・クロス点Ｚを抽出する。クロック信号生成部２４は、ゼロ・クロス点抽出部２３により抽出されたゼロ・クロス点Ｚに基づいて、クロック信号を生成する。
【００８４】
上記の構成において、光記録再生装置１１によるクロック信号の検出動作を図５のフローチャートにより説明する。
まず、光記録媒体１を光記録再生装置１１に装着してスピンドルモータ１３により回転させ、光ピックアップ２により記録再生を開始する（Ｓ１）。
【００８５】
記録再生動作の開始後、しきい値設定部１６は、後述のように記録再生条件に応じて、しきい値Ｒを設定する（Ｓ２）。
【００８６】
次に、光ピックアップ１２からの再生信号より、ＴＰＰ信号検出部２１はＴＰＰ信号を検出する（Ｓ３）。
【００８７】
次に、信号振幅比較部２２は、しきい値設定部１６から提供されるしきい値Ｒと、ＴＰＰ信号検出部２１にて検出されたＴＰＰ信号とを比較し、ＴＰＰ信号の振幅がしきい値Ｒよりも大きいか否かを判定する（Ｓ４）。
【００８８】
この判定の結果、振幅がしきい値Ｒよりも大きくなければ、そのＴＰＰ信号がクロック生成用ＴＰＰ信号ではないので、ゼロ・クロス点抽出部２３は、そのＴＰＰ信号についてゼロ・クロス点の抽出を行わない。一方、振幅がしきい値Ｒよりも大きければ、クロック生成用ＴＰＰ信号であるので、ゼロ・クロス点抽出部２３は、そのＴＰＰ信号についてゼロ・クロス点の抽出を行う。そして、クロック信号生成部２４は、ゼロ・クロス点抽出部２３にて抽出されたゼロ・クロス点に基づいて、クロック信号を生成する（Ｓ５）。
【００８９】
その後、信号再生部１５は、クロック信号の生成動作を終了するか否かを判断し（Ｓ６）、動作を継続する場合にはＳ３に戻り、それ以下の動作を繰り返す。一方、動作を終了する場合には、さらに、光記録媒体１の記録再生動作を終了するか否かを判断し（Ｓ７）、動作を継続する場合にはＳ２に戻り、それ以下の処理を繰り返す。
【００９０】
本発明の実施の他の形態の光記録媒体を図１４に示す。同図に示す光記録媒体５１は例えば光磁気記録媒体からなる。光記録媒体５１は、ランド記録方式を採用しており、ランドＬとグルーブＧとを有し、ランドＬにより記録トラックが構成されている。ランドＬとグルーブＧは、ディスク形状をなす光記録媒体５１の径方向において交互に形成されており、ランドＬの幅ＬＷはグルーブＧの幅ＧＷよりも広く設定されている。
【００９１】
光記録媒体５１では、光記録媒体１と同様に、ランドＬに前記ピットＰからなる途切れた部分、即ちクロックマーク（制御信号マーク）が形成され、グルーブに前記ミラーマーク部Ｍからなる途切れた部分、即ちクロックマーク（制御信号マーク）が形成されている。
【００９２】
上記構成の光記録媒体５１においてクロック信号を生成する際には、ランドＬの中心をトラックセンターとしてレーザビームを照射する。そして、その反射光をレーザビームの照射方向に２分割したフォトディテクタＸ、Ｙにて検出すると、図２（ｂ）の信号ＯＬＣと同じ位相のＴＰＰ信号（Ｘ−Ｙ）が得られる。そこで、これらＴＰＰ信号（第１の制御信号）からゼロ・クロス点Ｚを抽出し、クロック信号（第３の制御信号）を生成する。
【００９３】
上記の例では、光記録媒体５１がランド記録方式のものである場合について説明したが、光記録媒体５１がグルーブ記録方式のものであってもよい。この場合には、グルーブＧにより記録トラックが構成され、グルーブＧの幅ＧＷがランドＬの幅ＬＷよりも広く設定される。この場合にも同様にしてＴＰＰ信号やクロック信号を得ることができ、得られたＴＰＰ信号は、図２（ａ）の信号ＯＧＣと同位相となる。
【００９４】
本発明の実施のさらに他の形態の光記録媒体を図１５に示す。同図に示す光記録媒体６１は例えば光磁気記録媒体からなる。光記録媒体６１は、上記光記録媒体５１と同様、ランド記録方式を採用しており、ランドＬとグルーブＧとを有し、ランドＬにより記録トラックが構成されている。ランドＬとグルーブＧは、ディスク形状をなす光記録媒体５１の径方向において交互に形成されており、ランドＬの幅ＬＷはグルーブＧの幅ＧＷよりも広く設定されている。光記録媒体６１では、ランドＬのみに途切れた部分、即ちクロックマーク（制御信号マーク）が形成されている。このクロックマークはピットＰからなる。
【００９５】
上記構成の光記録媒体６１においてクロック信号を生成する際には、上記光記録媒体５１の場合と同様、ランドＬの中心をトラックセンターとしてレーザビームを照射し、その反射光をフォトディテクタＸ、Ｙにて検出すると、図２（ｂ）の信号ＯＬＣと同じ位相のＴＰＰ信号（Ｘ−Ｙ）が得られる。そこで、これらＴＰＰ信号（第１の制御信号）からゼロ・クロス点Ｚを抽出し、クロック信号（第３の制御信号）を生成する。
【００９６】
上記のように、光記録媒体６１では、途切れた部分、即ちクロックマークを記録トラックであるランドＬのみに設定した。このような構成とした場合には次のような利点がある。即ち、記録トラックではないグルーブＧのみにクロックマークを形成した場合、ＴＰＰ信号は、隣接トラックのクロックマークの再生により得られることになる。このため、得られるＴＰＰ信号は振幅が小さくなる。一方、ランドＬにクロックマークを形成した場合には、得られるＴＰＰ信号は振幅が大きくなり、この結果、良好なクロック信号を確実に生成可能となる。
【００９７】
上記の例では、光記録媒体６１がランド記録方式のものである場合について説明したが、光記録媒体６１がグルーブ記録方式のものであってもよい。この場合には、グルーブＧにより記録トラックが構成され、グルーブＧの幅ＧＷがランドＬの幅ＬＷよりも広く設定される。この場合にも同様にしてＴＰＰ信号やクロック信号を得ることができ、得られたＴＰＰ信号は、図２（ａ）の信号ＯＧＣと同位相となる。
【００９８】
次に、光記録媒体１、光記録媒体５１、光記録媒体６１の各実施例について以下に説明する。
【００９９】
（実施例１）
本実施例において、光記録媒体１は、トラック幅ＬＷ（ＧＷ）を０．５３５μｍ、グルーブＧの深さを０．０４μｍに設定した。上記のトラック幅ＬＷ（ＧＷ）は、赤色半導体レーザ搭載の光ピックアップ１２にて生成されるビームスポットにより記録再生可能とされる限界近くまで狭めた値である。また、上記グルーブＧの深さは、レーザ波長λ＝６５５ｎｍとλ＝４１０ｎｍとに対して互換可能となるように設定された値である。その詳細については後述する。
【０１００】
ここでは、光記録媒体１に形成されたクロックマーク長Ｃ１（図１参照）を０．２μｍから１．２μｍまで変化させたときに、ランドＬから得られるＴＰＰ信号の波形を測定した。このとき、光ピックアップ１２には、レーザ波長λ＝６５５ｎｍ、開口数ＮＡ＝０．６５、レーザビームのスポット径Ｄ１＝０．８３μｍのものを用いた。
【０１０１】
なお、クロックマーク長Ｃ１は、ランドＬおよびグルーブＧの中心位置（トラック幅ＬＷ、ＧＷの中心）におけるクロックマークのトラック方向の長さを示すものとする。本実施の形態において、図１に示すように、ランドＬおよびグルーブＧは、矩形状のものとして示しているが、それらの端部（途切れ等部分）が例えば湾曲しているものであってもよい。そして、クロックマーク長Ｃ１を上記のように定義していることにより、本発明はこのような光記録媒体に対しても適用可能である。
【０１０２】
上記の場合の測定結果を図６（ａ）〜図６（ｆ）に示す。図６（ａ）はクロックマーク長Ｃ１が０．２μｍ、図６（ｂ）は０．４μｍ、図６（ｃ）は０．６μｍ、図６（ｄ）は０．８μｍ、図６（ｅ）は１．０μｍ、図６（ｆ）は１．２μｍの場合である。このとき、トラック幅ＬＷ（ＧＷ）は、ビームスポットＤ１よりも小さくなっている。
【０１０３】
図６（ａ）〜図６（ｆ）の結果より、クロックマーク長Ｃ１が長くなると、ゼロ・クロス点でのＴＰＰ信号波形に歪みが生じていることがわかる。ここでは、図６（ｅ）、図６（ｆ）において歪みが発生している。
【０１０４】
また、図６（ｄ）、図６（ｅ）および図６（ｆ）に示したＴＰＰ信号のゼロ・クロス点付近の拡大図を図７に示す。図７より、クロックマーク長Ｃ１が長くなると、ゼロ・クロス点での歪みが大きくなることがわかる。
【０１０５】
クロック生成用ＴＰＰ信号においてゼロ・クロス点に歪みが生じると、クロックジッタが大きくなり、クロック信号の検出誤差が大きくなる原因となり、好ましくない。このため、クロックマーク長Ｃ１は、ＴＰＰ信号の波形が歪まない長さ以下にする必要がある。
【０１０６】
したがって、上記図６（ａ）〜図６（ｆ）および図７の結果より、クロックマーク長Ｃ１は、ビームスポットＤ１（０．８３μｍ）よりも小さくすることが好ましい。
【０１０７】
次に、クロックマーク長Ｃ１を一定とし、トラック幅ＬＷ（ＧＷ）を変化させたときの各ＴＰＰ信号の波形について調べた。このときに得られた各ＴＰＰ信号のゼロ・クロス点付近の拡大図を図８に示す。この場合のクロックマーク長Ｃ１は０．８μｍとした。また、赤色半導体レーザ搭載の光ピックアップ１２にて記録再生が確実にできるトラック幅ＬＷ（ＧＷ）の範囲として、０．５３５μｍから１．００μｍまでを設定した。
【０１０８】
図８より、トラック幅ＬＷ（ＧＷ）が変化すると、ＴＰＰ信号の振幅が変化するだけであり、歪みが生じないことが分かった。また、図示はしていないが、トラック幅ＬＷ（ＧＷ）を変化させた場合にも、クロックマーク長Ｃ１がビームスポット径Ｄ１よりも長くなると、図６（ｅ）、図６（ｆ）に示すように、ゼロ・クロス点において歪みが発生することが分かった。
【０１０９】
（実施例２）
本実施例においては、光記録媒体１のトラック幅ＬＷ（ＧＷ）を０．５３５μｍ、グルーブＧの深さを０．０４μｍに設定し、クロックマーク長Ｃ１を０．２μｍから１．２μｍまで変化させたときに、ランドＬから得られるＴＰＰ信号の波形を測定した。このとき、光ピックアップ１２には、レーザ波長λ＝４１０ｎｍ、開口数ＮＡ＝０．６５、ビームスポットＤ１＝０．５２μｍのものを用いた。
【０１１０】
このときの測定結果を図９に示す。図９（ａ）はクロックマーク長Ｃ１が０．２μｍ、図９（ｂ）は０．４μｍ、図９（ｃ）は０．５μｍ、図９（ｄ）は０．６μｍ、図９（ｅ）は０．８μｍ、図９（ｆ）は１．０μｍ、図９（ｇ）は１．２μｍの場合である。このとき、トラック幅ＬＷ（ＧＷ）は、ビームスポット径Ｄ１と同程度である。
【０１１１】
この結果より、ゼロ・クロス点でのＴＰＰ信号波形の歪みは図９（ｄ）〜図９（ｇ）で発生しており、クロックマーク長Ｃ１が長くなるに連れて、大きくなることが分かった。実施例１の場合と同様、ゼロ・クロス点での歪みは、クロックジッタを大きくし、クロック信号の検出誤差を大きくする原因となる。したがって、クロックマーク長Ｃ１は、ビームスポット径（０．５２μｍ）よりも小さくすることが好ましい。
【０１１２】
また、本実施例では、青紫色半導体レーザ搭載の光ピックアップ１２にて記録再生が確実にできるトラック幅ＬＷ（ＧＷ）の範囲として、０．３３５μｍから０．６２７μｍまでを設定した。また、図示はしていないが、実施例１と同様、トラック幅ＬＷ（ＧＷ）が変化しても、ＴＰＰ信号の振幅が変化するだけであり、さらに、トラック幅が変化しても、クロックマーク長Ｃ１がビームスポット径Ｄ１よりも長くなると、図９（ｄ）〜図９（ｇ）に示したように、ゼロ・クロス点で歪みが発生することが分かった。
【０１１３】
（実施例３）
本実施例において、光記録媒体５１は、トラック幅ＬＷを０．５３５μｍ、幅ＧＷを０．２５０μｍ、グルーブＧの深さを０．０４μｍに設定した。上記の幅ＬＷは、ランド記録方式において、記録再生が良好に行われる値を設定した。
【０１１４】
ここでは、光記録媒体５１に形成されたクロックマーク長Ｃ１（図１４参照）を０．２μｍから１．２μｍまで変化させたときに、ランドＬから得られるＴＰＰ信号の波形を測定した。このとき、光ピックアップ１２には、レーザ波長λ＝６５５ｎｍ、開口数ＮＡ＝０．６５、レーザスポット径Ｄ１＝０．８３μｍのものを用いた。なお、クロックマーク長Ｃ１は、前述のように、ランドＬの中心位置（トラック幅ＬＷの中心）におけるクロックマークのトラック方向の長さを示すものとする。
【０１１５】
上記の場合の測定結果を図１６（ａ）〜図１６（ｆ）に示す。図１６（ａ）はクロックマーク長Ｃ１が０．２μｍ、図１６（ｂ）は０．４μｍ、図１６（ｃ）は０．６μｍ、図１６（ｄ）は０．８μｍ、図１６（ｅ）は１．０μｍ、図１６（ｆ）は１．２μｍの場合である。このとき、トラック幅ＬＷは、ビームスポット径Ｄ１よりも小さくなっている。
【０１１６】
この結果より、ゼロ・クロス点でのＴＰＰ信号波形の歪みは図１６（ｅ）、（ｆ）で発生しており、クロックマーク長Ｃ１が長くなるに連れて、大きくなることがわかった。したがって、実施例１の場合と同様に、クロックマーク長Ｃ１は、ビームスポット径Ｄ１（０．８３μｍ）よりも小さくすることが好ましい。
【０１１７】
（実施例４）
本実施例において、光記録媒体６１は、トラック幅ＬＷを０．５３５μｍ、幅ＧＷを０．２５０μｍ、グルーブＧの深さを０．０４μｍに設定した。
【０１１８】
ここでは、光記録媒体６１に形成されたクロックマーク長Ｃ１（図１５参照）を０．２μｍから１．２μｍまで変化させたときに、ランドＬから得られるＴＰＰ信号の波形を測定した。このとき、光ピックアップ１２には、レーザ波長λ＝６５５ｎｍ、開口数ＮＡ＝０．６５、レーザスポット径Ｄ１＝０．８３μｍのものを用いた。なお、クロックマーク長Ｃ１は、前述のように、ランドＬの中心位置（トラック幅ＬＷの中心）におけるクロックマークのトラック方向の長さを示すものとする。
【０１１９】
上記の場合の測定結果を図１７（ａ）〜図１７（ｆ）に示す。図１７（ａ）はクロックマーク長Ｃ１が０．２μｍ、図１７（ｂ）は０．４μｍ、図１７（ｃ）は０．６μｍ、図１７（ｄ）は０．８μｍ、図１７（ｅ）は１．０μｍ、図１７（ｆ）は１．２μｍの場合である。このとき、トラック幅ＬＷは、ビームスポット径Ｄ１よりも小さくなっている。
【０１２０】
この結果より、ゼロ・クロス点でのＴＰＰ信号波形の歪みは図１７（ｅ）、（ｆ）で発生しており、クロックマーク長Ｃ１が長くなるに連れて、大きくなることがわかった。したがって、実施例１の場合と同様に、クロックマーク長Ｃ１は、ビームスポット径Ｄ１（０．８３μｍ）よりも小さくすることが好ましい。
【０１２１】
（実施例５）
本実施例において、光記録媒体５１は、トラック幅ＬＷを０．５３５μｍ、幅ＧＷを０．２５０μｍ、グルーブＧの深さを０．０４μｍに設定した。
【０１２２】
ここでは、光記録媒体５１に形成されたクロックマーク長Ｃ１（図１４参照）を０．２μｍから１．２μｍまで変化させたときに、ランドＬから得られるＴＰＰ信号の波形を測定した。このとき、光ピックアップ１２には、レーザ波長λ＝４１０ｎｍ、開口数ＮＡ＝０．６５、レーザスポット径Ｄ１＝０．５２μｍのものを用いた。
【０１２３】
上記の場合の測定結果を図１８（ａ）〜図１８（ｇ）に示す。図１８（ａ）はクロックマーク長Ｃ１が０．２μｍ、図１８（ｂ）は０．４μｍ、図１８（ｃ）は０．５μｍ、図１８（ｄ）は０．６μｍ、図１８（ｅ）は０．８μｍ、図１８（ｆ）は１．０μｍ、図１８（ｇ）は１．２μｍの場合である。このとき、トラック幅ＬＷは、ビームスポット径Ｄ１と同程度である。
【０１２４】
この結果より、ゼロ・クロス点でのＴＰＰ信号波形の歪みは図１８（ｄ）〜（ｇ）で発生しており、クロックマーク長Ｃ１が長くなるに連れて、大きくなることがわかった。したがって、実施例１の場合と同様に、クロックマーク長Ｃ１は、ビームスポット径Ｄ１（０．５２μｍ）よりも小さくすることが好ましい。
【０１２５】
（実施例６）
本実施例において、光記録媒体６１は、トラック幅ＬＷを０．５３５μｍ、幅ＧＷを０．２５０μｍ、グルーブＧの深さを０．０４μｍに設定した。
【０１２６】
ここでは、光記録媒体６１に形成されたクロックマーク長Ｃ１（図１５参照）を０．２μｍから１．２μｍまで変化させたときに、ランドＬから得られるＴＰＰ信号の波形を測定した。このとき、光ピックアップ１２には、レーザ波長λ＝４１０ｎｍ、開口数ＮＡ＝０．６５、レーザスポット径Ｄ１＝０．５２μｍのものを用いた。
【０１２７】
上記の場合の測定結果を図１９（ａ）〜図１９（ｇ）に示す。図１９（ａ）はクロックマーク長Ｃ１が０．２μｍ、図１９（ｂ）は０．４μｍ、図１９（ｃ）は０．５μｍ、図１９（ｄ）は０．６μｍ、図１９（ｅ）は０．８μｍ、図１９（ｆ）は１．０μｍ、図１９（ｇ）は１．２μｍの場合である。このとき、トラック幅ＬＷは、ビームスポット径Ｄ１と同程度である。
【０１２８】
この結果より、ゼロ・クロス点でのＴＰＰ信号波形の歪みは図１９（ｄ）〜（ｇ）で発生しており、クロックマーク長Ｃ１が長くなるに連れて、大きくなることがわかった。したがって、実施例１の場合と同様に、クロックマーク長Ｃ１は、ビームスポット径Ｄ１（０．５２μｍ）よりも小さくすることが好ましい。
【０１２９】
上記の実施例１および実施例２の結果では、ビームスポット径Ｄ１が０．８３μｍ（例えば赤色レーザ光のスポット径）と０．５２μｍ（例えば青紫色レーザ光のスポット径）との場合について示したが、いかなるビームスポット径Ｄ１、トラック幅ＬＷ（ＧＷ）であっても、クロックマーク長Ｃ１をビームスポット径Ｄ１よりも小さくした場合、ＴＰＰ信号波形のゼロ・クロス点での歪みは発生しないことが分かった。
【０１３０】
また、上記の実施例４、実施例６には、ランド記録方式においてランドＬのみにクロックマークを形成した場合について示した。その結果より、ランド記録方式であっても、クロックマーク長Ｃ１をビームスポット径Ｄ１より小さくした場合、ＴＰＰ信号波形のゼロ・クロス点での歪みは発生しないことが分かった。
【０１３１】
（ビームスポット径Ｄ１とクロックマーク長Ｃ１との関係についての検討）
次に、ビームスポット径Ｄ１とクロックマーク長Ｃ１との関係について検討した結果について説明する。
【０１３２】
図１０には、規格化クロックマーク長と規格化ＴＰＰ信号振幅との関係について調べた結果を示す。ここで、規格化クロックマーク長（ＣＭ）を、ビームスポット径Ｄ１に対するクロックマーク長Ｃ１と定義する。即ち、
規格化クロックマーク長＝クロックマーク長Ｃ１／ビームスポット径Ｄ１
となる。
【０１３３】
また、規格化ＴＰＰ信号振幅は、ＴＰＰ信号振幅を光記録媒体１から得られる和信号にて規格化したものであり、ミラーマーク部Ｍから得られる和信号に対するＴＰＰ信号振幅と定義する。即ち、
規格化信号振幅＝ＴＰＰ信号振幅／ミラーマーク部Ｍから得られる和信号
となる。なお、ミラーマーク部Ｍから得られる和信号とは、光記録媒体１のミラーマーク部Ｍにて反射したレーザビームにより受光素子から得られる信号である。
【０１３４】
また、ここでは、実施例１にて使用した、波長λ＝６５５ｎｍ、ビームスポット径Ｄ１＝０．８３μｍ、開口数ＮＡ＝０．６５の光ピックアップ１２（以下、第１光ピックアップ１２ａとする）、および実施例２にて使用した、波長λ＝４１０ｎｍ、ビームスポット径Ｄ１＝０．５２μｍ、開口数ＮＡ＝０．６５の光ピックアップ１２（以下、第２光ピックアップ１２ｂとする）を使用し、トラック幅ＬＷ（ＧＷ）を変化させた。
【０１３５】
図１０より、トラック幅ＬＷ（ＧＷ）が変化しても、規格化ＴＰＰ信号振幅が変化するだけであることがわかる。
【０１３６】
次に、第１光ピックアップ１２ａを使用した場合の規格化ＴＰＰ信号振幅の最大値付近の値、およびそのときの規格化クロックマーク長を調べた。その結果を表１に示す。なお、同表において、下線を付した値は各トラック幅における規格化ＴＰＰ信号振幅の最大値である。
【０１３７】
【表１】
0004776824.tif 000002
【０１３８】
表１より、トラック幅ＬＷ（ＧＷ）を０．５３５μｍから１．００μｍまで変化させた場合に、規格化ＴＰＰ信号振幅は、規格化クロックマーク長の０．６６から０．７２の範囲において最大値を示している。したがって、規格化クロックマーク長をこの範囲に設定すると、良好なクロック信号が確実に得られることが分かった。
【０１３９】
また、第２光ピックアップ１２ｂを使用した場合には、表には示していないが、トラック幅ＬＷ（ＧＷ）を０．３３５μｍから０．６２７μｍまで変化させた場合に、規格化ＴＰＰ信号振幅が規格化クロックマーク長の０．６６から０．７２の範囲において最大値を示し、この範囲において良好なクロック信号が得られることが分かった。
【０１４０】
以上の結果より、歪みのないクロック生成用ＴＰＰ信号を得ることができ、この結果、ジッタの少ない状態のクロック信号を生成するには、規格化クロックマーク長（ＣＭ）を１．０以下とすること（クロックマーク長Ｃ１をビームスポット径Ｄ１以下とすること）、即ち、
ＣＭ≦１．０
とすることが好ましい。
【０１４１】
また、検出されるＴＰＰ信号の振幅を大きくして、良好なクロック信号を生成するには、さらに規格化クロックマーク長（ＣＭ）を、
０．６６≦ＣＭ≦０．７２
とすることが好ましい。
【０１４２】
また、上記の機能を得る上で、波長λ１と波長λ２（λ１＞λ２）のレーザビームに対する互換性、例えば、赤色半導体レーザ搭載の光ピックアップ１２ａを使用する場合と青紫色半導体レーザ搭載の光ピックアップ１２ｂを使用する場合との互換性を考慮した場合、波長λ１、λ２のレーザ光のレーザスポット径をそれぞれＤ１、Ｄ２とすると、クロックマーク長Ｃ１は、
０．６６×Ｄ２≦Ｃ１≦０．７２×Ｄ１
が好ましい範囲となる。
【０１４３】
このとき、赤色レーザ光のスポット径が０．８３μｍであり、青紫色レーザ光のスポット径が０．５２μｍである場合、クロックマーク長Ｃ１は、０．３４≦Ｃ１≦０．５２が好ましい範囲となる。
【０１４４】
（グルーブＧ深さについての検討）
次に、グルーブＧの深さについて検討した結果について説明する。
【０１４５】
図１１には、グルーブＧの深さを変化させ、第１および第２光ピックアップ１２ａ、１２ｂにて再生を行ったときの規格化ＴＰＰ信号振幅について調べた結果を示す。このときには、クロックマーク長Ｃ１を０．４０μｍとした。このクロックマーク長Ｃ１は、第１光ピックアップ１２ａ（波長λ＝６５５ｎｍ、ビームスポット径Ｄ１＝０．８３μｍ）と第２光ピックアップ１２ｂ（波長λ＝４１０ｎｍ、ビームスポット径Ｄ１＝０．５２μｍ）との何れを使用した場合であってもＴＰＰ信号波形に歪みが生じない値である。
【０１４６】
この結果より、規格化ＴＰＰ信号振幅は、第１光ピックアップ１２ａを使用した場合、グルーブＧの深さが０．０３５μｍから０．０５５μｍまでほとんど変化しなが、第２光ピックアップ１２ｂを使用した場合、グルーブＧの深さが深くなると振幅が小さくなることが分かった。
【０１４７】
また、第１光ピックアップ１２ａを使用した場合には、グルーブＧの深さを０．０３５μｍより浅くすると、規格化ＴＰＰ信号振幅が小さくなり、信号検出が困難となる。第２光ピックアップ１２ｂを使用した場合には、例えばシリコンホトダイオードを光検出素子として用いた場合、量子効率の関係で受光部の感度が低くなる。したがって、できるだけ規格化ＴＰＰ信号振幅が大きくなるグルーブＧの深さにて信号検出することが望ましい。
【０１４８】
上記の結果から、グルーブＧの深さを０．０３５μｍから０．０４０μｍに設定することにより、第１および第２光ピックアップ１２ａ、１２ｂ、即ち赤色半導体レーザ搭載の光ピックアップ１２ａおよび青紫色半導体レーザ搭載の光ピックアップ１２ｂの何れを使用した場合においても、信号検出に必要な規格化ＴＰＰ信号振幅を得ることができる。さらに、第１光ピックアップ１２ａを使用した場合には、グルーブＧの深さのばらつきがあっても、規格化ＴＰＰ信号振幅の変化が小さく、安定した信号検出が可能となる。
【０１４９】
次に、第１光ピックアップ１２ａ（ビームスポット径Ｄ１＝０．８３μｍ、開口数ＮＡ＝０．６５）を使用し、トラック幅を０．５３５μｍとして、グルーブＧの深さを変化させたときの規格化クロックマーク長と規格化ＴＰＰ信号振幅との関係を調べた。その結果を図１２に示す。
【０１５０】
図１２より、グルーブＧの深さが変化しても、規格化ＴＰＰ信号振幅が変化するだけであることがわかった。この場合にも、図１０に示した結果と同様、規格化ＴＰＰ信号振幅は、規格化クロックマーク長が０．７程度で最大値を示している。したがって、同様に、規格化クロックマーク長は、０．６６〜０．７２の範囲に設定することが好ましい。
【０１５１】
以上、図１０、図１２、表１および表２の結果より、振幅が大きく歪を生じていないＴＰＰ信号を生成するには、規格化クロックマーク長を１．０以下にする必要がある。
【０１５２】
さらに、良好なＴＰＰ信号を確実に生成するには、規格化ＴＰＰ信号振幅が最大になるときの規格化クロックマーク長を選択すればよい。トラック幅ＬＷ（ＧＷ）が変化した場合、グルーブＧの深さが変化した場合、さらにはビームスポット径Ｄ１が変化した場合において、規格化ＴＰＰ信号振幅が最大になるときの規格化クロックマーク長は、何れの場合にもほぼ同じであり、本実施例の場合、０．６６から０．７２である。
【０１５３】
また、上述した規格化クロックマーク長の上限値（＝１．０）および最適値（＝０．６６〜０．７２）については、ウォブル２が形成されていない光記録媒体、および両側にウォブル２が形成されている光記録媒体にも適応可能である。
【０１５４】
（アドレスのもれ込み信号の影響）
次に、クロック生成用ＴＰＰ信号に対するアドレス洩れ込み信号の影響について検討した。その結果を図１、図２（ａ）（ｂ）、図１０および図１３に基づいて説明する。
【０１５５】
図１に示したように、光記録媒体１には、グルーブＧの一方の側壁にアドレスが記録されたウォブル２（片側ウォブル）が形成されている。このウォブル２は、振幅Ａ２が０．１８０μｍ、１周期の長さＡ３が１．４４８μｍであり、アドレス領域Ａを構成している。ここでは、このアドレス領域Ａを第１光ピックアップ１２ａ（波長λ＝６５５ｎｍ、開口数ＮＡ＝０．６５）により再生するものとする。
【０１５６】
例えば図２（ａ）に示すように、クロック生成用ＴＰＰ信号ＯＧＣの振幅は、特に、アドレス洩れ込み信号ＯＧＡの振幅より大きくしなければ、これら両者の判別ができなくなる。この点は、図２（ｂ）に示したクロック生成用ＴＰＰ信号ＯＬＣとアドレス洩れ込み信号ＯＬＡとの関係においても同様である。
【０１５７】
このことから、アドレス洩れ込み信号ＯＧＡの影響を受けずにクロック生成用ＴＰＰ信号ＯＧＣを検出するには、しきい値Ｒを規格化アドレスもれ込み信号の振幅よりも大きく設定し、しきい値Ｒ以上の振幅を有するクロック生成用ＴＰＰ信号が出力されるように、光記録媒体１においてクロックマーク長Ｃ１を設定する必要がある。
【０１５８】
なお、規格化アドレスもれ込み信号は、アドレス洩れ込み信号を光記録媒体１のミラーマーク部Ｍで得られる和信号で規格化した数値であり、ミラーマーク部Ｍから得られる和信号に対するアドレス洩れ込み信号と定義する。即ち、
規格化アドレスもれ込み信号＝アドレス洩れ込み信号／ミラーマーク部Ｍから得られる和信号
となる。
【０１５９】
図１３には、光記録媒体１を第１光ピックアップ１２ａ（ビームスポット径Ｄ１＝０．８３μｍ）および第２光ピックアップ１２ｂ（ビームスポット径Ｄ１＝０．５２μｍ）で再生した場合に、アドレス領域Ａで発生するアドレス洩れ込み信号の波形を示す。このとき、光記録媒体１のトラック幅ＬＷ（ＧＷ）は０．５３５μｍ、ウォブル２の振幅は０．１８０μｍ、クロックマーク長Ｃ１は、第１および第２光ピックアップ１２ａ、１２ｂの何れを使用した場合にもＴＰＰ信号波形に歪みが生じない長さである０．４０μｍとした。
【０１６０】
上記のアドレスの洩れ込み信号の振幅を規格化アドレス洩れ込み信号振幅で示すと、第１光ピックアップ１２ａを使用した場合には０．１４４となり、規格化ＴＰＰ信号振幅の３２％程度である。また、第２光ピックアップ１２ｂを使用した場合、規格化アドレス洩れ込み信号振幅は０．０６１となり、規格化ＴＰＰ信号の７％程度である。
【０１６１】
光記録媒体１に対する記録再生を確実に行うためには、たとえ、ビームスポット径Ｄ１やアドレス領域Ａにおけるウォブル２の振幅Ａ２、あるいはトラック幅ＬＷ（ＧＷ）が変化したとしても、クロック信号を確実に検出しなければならない。そこで、第１および第２光ピックアップ１２ａ、１２ｂの何れによってもクロック生成用ＴＰＰ信号の検出を可能にするために、しきい値Ｒを第１光ピックアップ１２ａにて検出された規格化アドレス洩れ込み信号振幅の０．１４４よりも大きくする必要がある。
【０１６２】
さらに、しきい値Ｒは、レベルに余裕を持たせるために、上記規格化アドレス洩れ込み信号振幅の値よりも２０％程度大きい値に設定するのが好ましい。このようなしきい値Ｒの設定により、クロック生成用ＴＰＰ信号とアドレス洩れ込み信号とを確実に判別することができ、アドレス洩れ込み信号の影響を遮断することができる。
【０１６３】
表２には、各トラック幅ＬＷ（ＧＷ）毎の上記のようにして得られる規格化アドレス洩れ込み信号振幅、そのときのしきい値Ｒ、およびそのしきい値Ｒを得るための規格化クロックマーク長について調べた結果を示す。
【０１６４】
【表２】
0004776824.tif 000003
【０１６５】
表２の結果から、トラック幅ＬＷ（ＧＷ）が変化した場合であっても確実にクロック信号が得られるようにするために、しきい値Ｒは、一番大きい値を採用した場合、０．１７３となる。また、そのときの規格化クロックマーク長は０．１１となる。規格化クロックマーク長が０．１１より小さくなると、クロック生成用ＴＰＰ信号振幅がアドレス洩れ込み信号振幅と同程度か、またはアドレス洩れ込み信号振幅よりも小さくなるので、クロック生成用ＴＰＰ信号とアドレス洩れ込み信号とを判別できなくなる可能性が高くなる。
【０１６６】
次に、ビームスポット径Ｄ１が０．５２μｍの場合において、トラック幅ＬＷ（ＧＷ）が０．３３５μｍの光記録媒体１でのアドレスの洩れ込みについて検討する。
【０１６７】
上記光記録媒体１でのウォブル２の振幅は、ビームスポット径Ｄ１が０．８３μｍ、トラック幅が０．５３５μｍ、ウォブル２の振幅が０．１８０μｍの光記録媒体１の場合のウォブル２の振幅と同じ比率で設定すると、０．１１３μｍとなる。また、クロックマーク長Ｃ１は０．１μｍに設定される。なお、これより短いものは、形成が困難と考えられる。
【０１６８】
このときの規格化アドレス洩れ込み信号振幅は０．１２２となり、規格化ＴＰＰ信号振幅の３７％程度である。このときにも、表には示していないが、しきい値Ｒは、規格化アドレス洩れ込み信号振幅よりも２０％大きい値に設定するのが好ましく、この場合には０．１４６となる。また、このしきい値Ｒ以上の規格化ＴＰＰ信号を得るときの規格化クロックマーク長（ＣＭ）は０．１１となる。したがって、この場合、先述の規格化クロックマーク長（ＣＭ）の上限値（ＣＭ≦１．０）を考慮して、
０．１１≦ＣＭ≦１．０
となる。
【０１６９】
上記のように、記録再生に用いるビームスポット径Ｄ１が変化した場合であっても、トラック幅ＬＷ（ＧＷ）がそのビームスポット径Ｄ１にて記録再生可能な範囲内である場合、規格化クロックマーク長を０．１１以上に設定すれば、規格化アドレス洩れ込み信号振幅よりも大きい規格化ＴＰＰ信号振幅が得られる。この結果、アドレス洩れ込み信号の影響を受けることなく、確実にクロック生成用ＴＰＰ信号を検出することができ、信頼性を高めることができる。
【０１７０】
また、上記の機能を得る上で、波長λ１と波長λ２（λ１＞λ２）のレーザビームに対する互換性、例えば、赤色半導体レーザ搭載の光ピックアップ１２ａを使用する場合と青紫色半導体レーザ搭載の光ピックアップ１２ｂを使用する場合との互換性を考慮した場合、波長λ１、λ２のレーザ光のレーザスポット径をそれぞれＤ１、Ｄ２とすると、クロックマーク長Ｃ１は、
０．１１×Ｄ１≦Ｃ１≦Ｄ２
が最適範囲となる。
【０１７１】
このとき、赤色レーザ光のスポット径が０．８３μｍであり、青紫色レーザ光のスポット径が０．５２μｍである場合、クロックマーク長Ｃ１は、０．０９≦Ｃ１≦０．５２が最適範囲となる。
【０１７２】
なお、規格化アドレス洩れ込み信号振幅よりも大きい規格化ＴＰＰ信号振幅をさらに確実に得るには、規格化クロックマーク長を前述の範囲である０．６６〜０．７２とする。
【０１７３】
また、上記の説明では、トラック幅０．５３５μｍに対してウォブル２の振幅を０．１８０μｍ、またはトラック幅０．３３５μｍに対してウォブル２の振幅を０．１１３μｍに設定した。しかしながら、ウォブル２の振幅を小さく設定すれば、アドレス洩れ込み信号の振幅は小さくなり、しきい値Ｒの設定に余裕が生じる。そして、しきい値Ｒを小さく設定できれば、クロック生成用ＴＰＰ信号の振幅も小さくすることができるので、クロックマーク長Ｃ１を短くすることができる。この結果、クロック領域、即ちミラーマーク部ＭやピットＰを狭くして、データ領域を広くとることができ、光記録媒体１の高密度化を図り得る。
【０１７４】
また、光記録媒体１はウォブル２として１周期（Ａ３）分のみ備えるものとして説明したが、２周期（２×Ａ３）分備えるものであってもよい。ウォブル２の周期はビームスポット径Ｄ１と比べて十分長いので、ウォブル２の周期を２周期としても、アドレス洩れ込み信号の振幅は１周期の場合と同じである。
【０１７５】
また、以上の実施の形態においては、ウォブル２が記録トラックの片面のみに形成された場合を示したが、ウォブル２は記録トラックを構成するランドＬ、グルーブＧの両側に形成されていてもよい。例えば図２０に示す光記録媒体７１では、グルーブＧ用のアドレスを記録したアドレス領域Ａ２１とランドＬ用のアドレスを記録したアドレス領域Ａ２１’とを有し、アドレス領域Ａ２１にはグルーブＧの両壁を同位相で蛇行させたウォブル２が形成され、アドレス領域Ａ２１’にはランドＬの両壁を同位相で蛇行させたウォブル２’が形成されている。これらウォブル２、２’は、振幅Ａ２が０．１８０μｍ（Ａ１＝Ａ２／２）、１周期の長さＡ３が１．４４８μｍ（Ａ４＝Ａ３／２）である。なお、光記録媒体７１は、アドレス領域Ａ２１とアドレス領域Ａ２１’との少なくとも一方を備えていてもよい。
【０１７６】
同図に示すように、アドレス領域Ａ２１において、ランドＬをビームスポット３が走査すると、ウォブル２の位相が１８０度ずれているため、アドレスの洩れ込み信号振幅は大きくなる。ここでも、これらアドレス領域Ａ２１、Ａ２１’を第１光ピックアップ１２ａにより再生するものとする。
【０１７７】
表３には、実施例１と同様にして各トラック幅ＬＷ毎に得られる規格化アドレス洩れ込み信号振幅、そのときのしきい値Ｒ、およびそのしきい値Ｒを得るための規格化クロックマーク長について調べた結果を示す。
【０１７８】
【表３】
0004776824.tif 000004
【０１７９】
表３の結果から、しきい値Ｒは、トラック幅ＬＷが変化した場合であっても確実にクロック信号が得られるようにするために一番大きい値を採用した場合、０．３４６となる。また、そのときの規格化クロックマーク長は０．３０となる。したがって、光記録媒体７１では、規格化クロックマーク長は、０．３０以上が好ましい。
【０１８０】
（記録トラックの構成の違いによるビームスポット径とクロックマーク長についての検討）
次に、記録トラックの構成が異なるときの、ビームスポット径Ｄ１とクロックマーク長Ｃ１との関係について検討した結果について説明する。ここでは、実施例１にて使用した、波長λ＝６５５ｎｍ、ビームスポット径Ｄ１＝０．８３μｍ、開口数ＮＡ＝０．６５の第１光ピックアップ１２ａ、および実施例２にて使用した、波長λ＝４１０ｎｍ、ビームスポット径Ｄ１＝０．５２μｍ、開口数ＮＡ＝０．６５の第２光ピックアップ１２ｂを用いた。
【０１８１】
本実施の形態の光記録媒体において使用されるトラックの構成は、下記の３種類である。
▲１▼ランドおよびグルーブ記録方式において、クロックマークがランドおよびグルーブの両者に形成されているもの（図１の光記録媒体１）
▲２▼ランド記録方式において、クロックマークがランドおよびグルーブの両者に形成されているもの（図１４の光記録媒体５１）
▲３▼ランド記録方式において、クロックマークが記録トラック側（ランドＬ側）のみに形成されているもの（図１５の光記録媒体６１）
これら３種類の光記録媒体１、５１、６１について、ビームスポット径Ｄ１とクロックマーク長Ｃ１との関係について調べた結果を図２１に示す。
【０１８２】
図２１より、記録トラックの構成が異なる上記の各光記録媒体１、５１、６１同士では、格化ＴＰＰ信号振幅が異なるものの、同様の特性を有することがわかる。
【０１８３】
次に、第１光ピックアップ１２ａを使用し、光記録媒体５１および光記録媒体６１について、規格化ＴＰＰ信号振幅の最大値付近の値、およびそのときの規格化クロックマーク長を調べた。その結果、上記のどちらのトラック構成においても、規格化ＴＰＰ信号は規格化クロックマーク長の０．６６から０．７２の範囲において最大値であり、この範囲において良好なクロック信号が得られることが分かった。
【０１８４】
また、第２光ピックアップ１２ｂを使用した場合にも同様に、上記のどちらのトラック構成においても、規格化ＴＰＰ信号は規格化クロックマーク長の０．６６から０．７２の範囲において最大値であり、この範囲において良好なクロック信号が得られることが分かった。
【０１８５】
以上の結果より、記録トラックの構成が上記光記録媒体１、５１、６１のように変化しても、歪みのないクロック生成用ＴＰＰ信号を得ることができる。また、ジッタの少ない状態のクロック信号を生成するには、規格化クロックマーク長（ＣＭ）を１．０以下とすること（クロックマーク長Ｃ１を、ビームスポット径Ｄ１以下とすること）、即ち、
ＣＭ≦１．０
とすることが好ましい。
【０１８６】
また、検出されるＴＰＰ信号の振幅を大きくして、良好なクロック信号を生成するには、さらに規格化クロックマーク長（ＣＭ）を、
０．６６≦ＣＭ≦０．７２
とすることが望ましい。
【０１８７】
また、上記の機能を得る上で、波長λ１と波長λ２（λ１＞λ２）のレーザビームに対する互換性、例えば、赤色半導体レーザ搭載の光ピックアップ１２ａを使用する場合と青紫色半導体レーザ搭載の光ピックアップ１２ｂを使用する場合との互換性を考慮した揚合、波長λ１、λ２のレーザ光のレーザスポット径をそれぞれＤ１、Ｄ２とすると、クロックマーク長Ｃ１は、
０．６６×Ｄ２≦Ｃ１≦０．７２×Ｄ１
が好ましい範囲となる。
【０１８８】
以上のように、上記の各光記録媒体１、５１、６１においては、ランドＬまたはグルーブＧに照射されるビームスポット径Ｄ１とクロックマーク長Ｃ１との関係を、前述のように設定しているので、ジッタの少ない状態のクロック信号を確実に検出することができる。さらに、ビームスポット径Ｄ１が異なる２種類の何れの光ピックアップ１２によっても、上記クロック信号を検出することができる。
【０１８９】
また、上記の実施例３、実施例４、実施例５および実施例６において、光記録媒体５１、６１は、ランド記録方式である場合について示したが、グルーブ記録方式であってもよく、その転用した構成は明らかであり、その場合にも同様に、クロック信号を検出することができる。
【０１９０】
また、上記のランド記録方式の光記録媒体５１、６１に関しては、アドレスが記録されたウォブル２を有する構成について記載していないが、ウォブル２を有する構成においても、光記録媒体１の場合と同様、クロックマークの長さを規定することでアドレス洩れ込み信号の影響がなくなる。
【０１９１】
また、上記の例において、第１光ピックアップ１２ａとしては、波長λ＝６５５ｎｍ、開口数ＮＡ＝０．６５のものを使用したが、波長λ＝６３０〜６８０ｎｍであってもよく、また、開口数ＮＡを適当に設定し、前述のビームスポット径Ｄ１が得られるものを使用すれば、同様に、クロック信号を適切に検出することができる。同様に、第２光ピックアップ１２ｂも、波長λ＝４１０ｎｍ、開口数ＮＡ＝０．６５のものを使用したが、波長λ＝３９０〜４３０ｎｍで上記のような適当な開口数ＮＡのものを使用可能である。
【０１９２】
【発明の効果】
以上のように、本発明の光記録媒体は、記録トラックを構成するグルーブおよび／またはランドが記録トラック方向に所定長さの途切れた部分を有し、この途切れた部分が制御信号、例えばクロック信号を得るための制御信号マーク、例えばクロックマークとなっている光記録媒体において、前記制御信号マークの長さと、記録トラックに照射されるレーザスポット径とにより、（制御信号マーク長）／（レーザスポット径）＝ＣＭとしたときに、ＣＭ≦１．０  としている。
【０１９３】
これにより、歪みのない制御信号生成用ＴＰＰ信号を得ることができ、この結果、ジッタの少ない状態の制御信号を生成することができる。また、制御信号マーク長とレーザスポット径とを上記の関係とすることにより、必要な制御信号マーク長を短くすることができる。したがって、制御信号の記録領域を小さくして高密度記録再生が可能となる。
【０１９４】
本発明のさらに他の光記録媒体は、記録トラックを構成するグルーブおよび／またはランドが記録トラック方向に所定長さの途切れた部分を有し、この途切れた部分が制御信号を得るための制御信号マークとなっている光記録媒体において、前記制御信号マークの長さと、記録トラックに照射されるレーザスポット径とにより、（制御信号マーク長）／（レーザスポット径）＝ＣＭとしたときに、０．６６≦ＣＭ≦０．７２  としている。
【０１９５】
これにより、良好な制御信号を確実にかつ歪みのない状態で得ることができる。
【０１９６】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【０１９７】
本発明のさらに他の光記録媒体は、記録トラックを構成するグルーブおよび／またはランドが記録トラック方向に所定長さの途切れた部分を有し、この途切れた部分が制御信号を得るための制御信号マークとなっており、かつ波長λ１と波長λ２（λ１＞λ２）のレーザ光により記録と再生との少なくとも一方が可能な光記録媒体であって、波長λ１、λ２のレーザ光のレーザスポット径をそれぞれＤ１、Ｄ２としたときに、前記制御信号マークの長さＣ１が、０．６６×Ｄ２≦Ｃ１≦０．７２×Ｄ１  を満たす構成である。
【０１９８】
これにより、波長λ１、λ２の何れのレーザ光を使用した場合においても、振幅の大きい制御信号生成用ＴＰＰ信号を得ることができる。これにより、良好な制御信号を、例えば赤色半導体レーザ搭載の光ピックアップと青紫色半導体レーザ搭載の光ピックアップとの何れを使用した場合においても、確実にかつ歪みのない状態で得ることができる。
【０１９９】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【０２００】
本発明の他の光記録媒体は、記録トラックを構成するグルーブおよび／またはランドが記録トラック方向に所定長さの途切れた部分を有し、この途切れた部分が第１の制御信号を得るための制御信号マークとなっており、前記グルーブを形成する側壁部の少なくとも一方を蛇行させることにより第２の制御信号が記録されている光記録媒体において、前記制御信号マークの長さと、記録トラックに照射されるレーザスポット径とにより、（制御信号マーク長）／（レーザスポット径）＝ＣＭとしたときに、
０．１１≦ＣＭ≦１．０  としている。
【０２０１】
これにより、第１の制御信号をグルーブ側壁の蛇行部分を再生することにより検出されるＴＰＰ信号（アドレス洩れ込み信号）よりも大きくすることができる。したがって、第１の制御信号とグルーブ側壁の蛇行部分を再生することにより検出されるＴＰＰ信号（アドレス洩れ込み信号）とを正確に判別でき、かつ歪みのない制御信号を得ることができる。
【０２０２】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【０２０３】
本発明のさらに他の光記録媒体は、記録トラックを構成するグルーブおよび／またはランドが記録トラック方向に所定長さの途切れた部分を有し、この途切れた部分が第１の制御信号を得るための制御信号マークとなっており、前記グルーブを形成する側壁部の少なくとも一方を蛇行させることにより第２の制御信号が記録されている光記録媒体において、前記制御信号マークの長さと、記録トラックに照射されるレーザスポット径とにより、（制御信号マーク長）／（レーザスポット径）＝ＣＭとしたときに、０．６６≦ＣＭ≦０．７２  としている。
【０２０４】
これにより、振幅の大きい第１の制御信号を得ることができる。したがって、第１の制御信号とグルーブ側壁の蛇行部分を再生することにより検出されるＴＰＰ信号（アドレス洩れ込み信号）とを正確に判別でき、この結果、制御信号の検出を確実に行うことができ、かつ歪みのない制御信号を得ることができる。
【０２０５】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【０２０６】
本発明のさらに他の光記録媒体は、記録トラックを構成するグルーブおよび／またはランドが記録トラック方向に所定長さの途切れた部分を有し、この途切れた部分が第１の制御信号を得るための制御信号マークとなっており、前記グルーブを形成する側壁部の少なくとも一方を蛇行させることにより第２の制御信号が記録されており、かつ波長λ１と波長λ２（λ１＞λ２）のレーザ光により記録と再生との少なくとも一方が可能な光記録媒体であって、波長λ１、λ２のレーザ光のレーザスポット径をそれぞれＤ１、Ｄ２としたときに、前記制御信号マークの長さＣ１が、０．１１×Ｄ１≦Ｃ１≦Ｄ２  を満たす構成である。
【０２０７】
これにより、波長λ１、λ２の何れのレーザ光を使用した場合においても、第１の制御信号をグルーブ側壁の蛇行部分を再生することにより検出されるＴＰＰ信号（アドレス洩れ込み信号）よりも大きくすることがでる。したがって、第１の制御信号を、例えば赤色半導体レーザ搭載の光ピックアップと青紫半導体レーザ搭載の光ピックアップとの何れを使用した場合においても、正確に検出でき、この結果、制御信号の検出を確実に行うことができ、かつ歪みのない制御信号を得ることができる。
【０２０８】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【０２０９】
上記の光記録媒体は、前記ランドの上面に対するグルーブの深さが０．０３５μｍ〜０．０４０μｍの範囲に設定されている構成としてもよい。
【０２１０】
これにより、光ピックアップの再生信号から、赤色半導体レーザ搭載の光ピックアップと青紫色半導体レーザ搭載の光ピックアップとの何れを使用した場合においても、制御信号を適切に検出することができる。
【０２１１】
本発明の光記録再生装置は、記録トラックを構成するグルーブおよび／またはランドが記録トラック方向に所定長さの途切れた部分を有し、この途切れた部分が制御信号、例えばクロック信号を得るための制御信号マーク、例えばクロックマークとなっている光記録媒体において、前記制御信号マークの長さと、記録トラックに照射されるレーザスポット径とにより、（制御信号マーク長）／（レーザスポット径）＝ＣＭとしたときに、ＣＭ≦１．０、もしくは、０．６６≦ＣＭ≦０．７２である光記録媒体、または波長λ１、λ２のレーザ光のレーザスポット径をそれぞれＤ１、Ｄ２としたときに、前記制御信号マークの長さＣ１が、０．６６×Ｄ２≦Ｃ１≦０．７２×Ｄ１  を満たす光記録媒体を使用し、前記の光記録媒体から得られた制御信号を少なくともその振幅に基づいて検出するためのしきい値を設定するしきい値設定手段と、前記制御信号と前記しきい値とを比較して制御信号を検出する制御信号検出手段と、この制御信号検出手段にて検出された制御信号に基づいて、新たな制御信号を生成する制御信号生成手段とを備えている構成である。
【０２１２】
上記の構成によれば、ＣＭを、ＣＭ≦１．０とした場合には、制御信号検出手段からは歪みのない制御信号を得ることができ、これにより、制御信号生成手段では、ジッタの少ない状態の新たな制御信号を生成することができる。
【０２１３】
また、上記ＣＭを、０．６６≦ＣＭ≦０．７２とした場合には、制御信号検出手段からは振幅の大きい制御信号を得ることができる。これにより、制御信号生成手段では、良好な制御信号を確実にかつ歪みのない状態で生成することができる。
【０２１４】
また、制御信号マークの長さＣ１が、０．６６×Ｄ２≦Ｃ１≦０．７２×Ｄ１を満たす光記録媒体を使用した場合には、波長λ１、λ２の何れのレーザ光を使用した場合においても、振幅の大きい制御信号生成用ＴＰＰ信号を得ることができる。これにより、良好な制御信号を、例えば赤色半導体レーザ搭載の光ピックアップと青紫色半導体レーザ搭載の光ピックアップとの何れを使用した場合においても、確実にかつ歪みのない状態で得ることができる。
【０２１５】
本発明の他の光記録再生装置は、記録トラックを構成するグルーブおよび／またはランドが記録トラック方向に所定長さの途切れた部分を有し、この途切れた部分が第１の制御信号を得るための制御信号マークとなっており、前記グルーブを形成する側壁部の少なくとも一方を蛇行させることにより第２の制御信号が記録されている光記録媒体において、前記制御信号マークの長さと、記録トラックに照射されるレーザスポット径とにより、（制御信号マーク長）／（レーザスポット径）＝ＣＭとしたときに、０．１１≦ＣＭ≦１．０、もしくは、０．６６≦ＣＭ≦０．７２である光記録媒体、または波長λ１、λ２のレーザ光のレーザスポット径をそれぞれＤ１、Ｄ２としたときに、前記制御信号マークの長さＣ１が、０．１１×Ｄ１≦Ｃ１≦Ｄ２  を満たす光記録媒体を使用し、前記の光記録媒体から得られた第１の制御信号と第２の制御信号とを、少なくともそれらの振幅に基づいて判別するためのしきい値を設定するしきい値設定手段と、前記第１および第２の制御信号と前記しきい値とを比較して第１の制御信号と第２の制御信号とを判別する制御信号判別手段と、この制御信号判別手段にて判別された制御信号に基づいて、第３の制御信号を生成する制御信号生成手段とを備えている構成である。
【０２１６】
上記の構成によれば、ＣＭを、０．１１≦ＣＭ≦１．０とした場合には、第１の制御信号をグルーブ側壁の蛇行部分を再生することにより検出されるＴＰＰ信号（アドレス洩れ込み信号）よりも大きくすることができる。したがって、制御信号判別手段は、第１の制御信号を、例えば赤色半導体レーザ搭載の光ピックアップと青紫半導体レーザ搭載の光ピックアップとの何れを使用した場合においても、正確に検出できる。この結果、制御信号の検出を確実に行うことができ、かつ制御信号生成手段は、歪みのない第３の制御信号を生成することができる。
【０２１７】
また、上記ＣＭを、０．６６≦ＣＭ≦０．７２とした場合には、第１の制御信号の振幅を大きくすることができる。したがって、制御信号判別手段は、第１の制御信号を、例えば赤色半導体レーザ搭載の光ピックアップと青紫半導体レーザ搭載の光ピックアップとの何れを使用した場合においても、正確に検出できる。この結果、制御信号の検出を確実に行うことができ、かつ制御信号生成手段は、歪みのない第３の制御信号を生成することができる。
【０２１８】
また、制御信号マークの長さＣ１が、０．１１×Ｄ１≦Ｃ１≦Ｄ２  を満たす光記録媒体を使用した場合には、波長λ１、λ２の何れのレーザ光を使用した場合においても、第１の制御信号をグルーブ側壁の蛇行部分を再生することにより検出されるＴＰＰ信号（アドレス洩れ込み信号）よりも大きくすることができる。したがって、第１の制御信号を、例えば赤色半導体レーザ搭載の光ピックアップと青紫半導体レーザ搭載の光ピックアップとの何れを使用した場合においても、正確に検出でき、この結果、制御信号の検出を確実に行うことができ、かつ歪みのない制御信号を得ることができる。
【０２１９】
本発明の他の光記録媒体の記録再生方法は、記録トラックを構成するグルーブおよび／またはランドが記録トラック方向に所定長さの途切れた部分を有し、この途切れた部分が制御信号を得るための制御信号マークとなっている光記録媒体に対して、情報の記録と再生との少なくとも一方を行う記録再生方法において、前記光記録媒体に対して照射するレーザ光のレーザスポット径をＤ、前記制御信号マークの長さをＣ１としたときに、０．６６×Ｄ≦Ｃ１≦０．７２×Ｄ  満たすように設定する構成である。
【０２２０】
これにより、振幅の大きい制御信号生成用ＴＰＰ信号を得ることができる。したがって、良好な制御信号を確実にかつ歪みのない状態で得ることができる。
【０２２１】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【０２２２】
本発明の光記録媒体の記録再生方法は、記録トラックを構成するグルーブおよび／またはランドが記録トラック方向に所定長さの途切れた部分を有し、この途切れた部分が第１の制御信号を得るための制御信号マークとなっており、前記グルーブを形成する側壁部の少なくとも一方を蛇行させることにより第２の制御信号が記録されている光記録媒体に対して、情報の記録と再生との少なくとも一方を行う記録再生方法において、前記光記録媒体に対して照射するレーザ光のレーザスポット径をＤ、前記制御信号マークの長さをＣ１としたときに、０．１１×Ｄ≦Ｃ１≦Ｄ  を満たすように設定する構成である。
【０２２３】
これにより、第１の制御信号をグルーブ側壁の蛇行部分を再生することにより検出されるＴＰＰ信号（アドレス洩れ込み信号）よりも大きくすることができる。したがって、第１の制御信号とグルーブ側壁の蛇行部分を再生することにより検出されるＴＰＰ信号（アドレス洩れ込み信号）とを正確に判別でき、この結果、制御信号の検出を確実に行うことができ、かつ歪みのない制御信号を得ることができる。
【０２２４】
また、制御信号マーク長とレーザスポット径とを上記の関係とすることにより、必要な制御信号マーク長を短くすることができる。したがって、光記録媒体では、制御信号の記録領域を小さくして高密度記録再生が可能となる。
【図面の簡単な説明】
【図１】本発明の実施の一形態における光記録媒体の要部を示すものであって、ランドとグルーブとの形成状態を示す説明図である。
【図２】図２（ａ）は、図１に示したグルーブＧをレーザスポットが走査した場合に２分割フォトディテクタにて検出されるＴＰＰ信号を示す波形図、図２（ｂ）は、同様に、ランドＬをレーザスポットが走査した場合に検出されるＴＰＰ信号を示す波形図である。
【図３】図１に示した光記録媒体を使用する光記録再生装置の構成を示す概略のブロック図である。
【図４】図３に示したクロック信号再生部の構成を示すブロック図である。
【図５】図３に示した光記録再生装置によるクロック信号生成動作を示すフローチャートである。
【図６】図６（ａ）〜図６（ｆ）は、本発明の一実施例における図１に示した光記録媒体のクロックマーク長を変化させたときに、レーザ波長λ＝６５５ｎｍ、開口数ＮＡ＝０．６５の光ピックアップにより得られる各ＴＰＰ信号を示すものであって、図６（ａ）はクロックマーク長が０．２μｍ、図６（ｂ）は０．４μｍ、図６（ｃ）は０．６μｍ、図６（ｄ）は０．８μｍ、図６（ｅ）は１．０μｍ、図６（ｆ）は１．２μｍの場合を示すものである。
【図７】図６（ｄ）、図６（ｅ）および図６（ｆ）に示したＴＰＰ信号のゼロ・クロス点付近の波形を示す拡大図である。
【図８】図１に示した光記録媒体において、クロックマーク長を一定とし、トラック幅ＬＷ（ＧＷ）を変化させたときに得られる各ＴＰＰ信号の波形におけるゼロ・クロス点付近の拡大図である。
【図９】図９（ａ）〜図９（ｇ）は、本発明の他の実施例における図１に示した光記録媒体のクロックマーク長を変化させたときに、レーザ波長λ＝４１０ｎｍ、開口数ＮＡ＝０．６５の光ピックアップにより得られる各ＴＰＰ信号を示すものであって、図９（ａ）はクロックマーク長が０．２μｍ、図９（ｂ）は０．４μｍ、図９（ｃ）は０．５μｍ、図９（ｄ）は０．６μｍ、図９（ｅ）は０．８μｍ、図９（ｆ）は１．０μｍ、図９（ｇ）は１．２μｍの場合を示すものである。
【図１０】図１に示した光記録媒体において、波長λ＝６５５ｎｍ、開口数ＮＡ＝０．６５の光ピックアップ、および波長λ＝４１０ｎｍ、開口数ＮＡ＝０．６５の光ピックアップを使用し、トラック幅を変化させた場合の規格化クロックマーク長と規格化ＴＰＰ信号振幅との関係を示すグラフである。
【図１１】図１に示した光記録媒体において、波長λ＝６５５ｎｍ、開口数ＮＡ＝０．６５の光ピックアップ、および波長λ＝４１０ｎｍ、開口数ＮＡ＝０．６５の光ピックアップを使用した場合のグルーブの深さと規格化ＴＰＰ信号振幅との関係を示すグラフである。
【図１２】図１に示した光記録媒体において、波長λ＝６５５ｎｍ、ビームスポット径Ｄ１＝０．８３μｍ、開口数ＮＡ＝０．６５の光ピックアップを使用し、トラック幅を０．５３５μｍとして、グルーブの深さを変化させたときの規格化クロックマーク長と規格化ＴＰＰ信号振幅との関係を示すグラフである。
【図１３】図１に示した光記録媒体を、波長λ＝６５５ｎｍ、ビームスポット径＝０．８３μｍの光ピックアップと、波長λ＝４１０ｎｍ、ビームスポット径＝０．５２μｍの光ピックアップとにより再生した場合のアドレス領域で発生するアドレス洩れ込み信号を示す波形図である。
【図１４】本発明の実施の他の形態における光記録媒体の要部を示すものであって、ランドとグルーブとの形態を示す説明図である。
【図１５】本発明の実施のさらに他の形態における光記録媒体の要部を示すものであって、ランドとグルーブとの形態を示す説明図である。
【図１６】図１６（ａ）〜図１６（ｆ）は、本発明のさらに他の実施例における図１４に示した光記録媒体のクロックマーク長を変化させたときに、レーザ波長λ＝６５５ｎｍ、開口数ＮＡ＝０．６５の光ピックアップにより得られる各ＴＰＰ信号を示すものであって、図１６（ａ）はクロックマーク長が０．２μｍ、図１６（ｂ）は０．４μｍ、図１６（ｃ）は０．６μｍ、図１６（ｄ）は０．８μｍ、図１６（ｅ）は１．０μｍ、図１６（ｆ）は１．２μｍの場合を示すものである。
【図１７】図１７（ａ）〜図１７（ｆ）は、本発明のさらに他の実施例における図１５に示した光記録媒体のクロックマーク長を変化させたときに、レーザ波長λ＝６５５ｎｍ、開口数ＮＡ＝０．６５の光ピックアップにより得られる各ＴＰＰ信号を示すものであって、図１７（ａ）はクロックマーク長が０．２μｍ、図１７（ｂ）は０．４μｍ、図１７（ｃ）は０．６μｍ、図１７（ｄ）は０．８μｍ、図１７（ｅ）は１．０μｍ、図１７（ｆ）は１．２μｍの場合を示すものである。
【図１８】図１８（ａ）〜図１８（ｇ）は、本発明のさらに他の図１４に示した実施例における光記録媒体のクロックマーク長を変化させたときに、レーザ波長λ＝４１０ｎｍ、開口数ＮＡ＝０．６５の光ピックアップにより得られる各ＴＰＰ信号を示すものであって、図１８（ａ）はクロックマーク長が０．２μｍ、図１８（ｂ）は０．４μｍ、図１８（ｃ）は０．５μｍ、図１８（ｄ）は０．６μｍ、図１８（ｅ）は０．８μｍ、図１８（ｆ）は１．０μｍ、図１８（ｇ）は１．２μｍの場合を示すものである。
【図１９】図１９（ａ）〜図１９（ｇ）は、本発明のさらに他の図１５に示した実施例における光記録媒体のクロックマーク長を変化させたときに、レーザ波長λ＝４１０ｎｍ、開口数ＮＡ＝０．６５の光ピックアップにより得られる各ＴＰＰ信号を示すものであって、図１９（ａ）はクロックマーク長が０．２μｍ、図１９（ｂ）は０．４μｍ、図１９（ｃ）は０．５μｍ、図１９（ｄ）は０．６μｍ、図１９（ｅ）は０．８μｍ、図１９（ｆ）は１．０μｍ、図１９（ｇ）は１．２μｍの揚合を示すものである。
【図２０】本発明の実施のさらに他の形態における光記録媒体の要部を示すものであって、ランドとグルーブとの形態、およびそれらに形成されたウォブルの形態を示す説明図である。
【図２１】図１、１４および図１５に示した各光記録媒体において、波長λ＝６５５ｎｍ、開口数ＮＡ＝０．６５の光ピツクアップ、および波長λ＝４１０ｎｍ、開口数ＮＡ＝０．６５の光ピックアップを使用した場合の規格化クロックマーク長と規格化ＴＰＰ信号振幅との関係を示すグラフである。
【符号の説明】
１    光記録媒体
２    ウォブル
３    ビームスポット
１１    光記録再生装置
１２    光ピックアップ
１２ａ  第１光ピックアップ
１２ｂ  第２光ピックアップ
１５    信号再生部
１５ｂ  アドレス信号再生部
１５ｃ  クロック信号再生部
１６    しきい値設定部（しきい値設定手段）
２１    ＴＰＰ信号検出部
２２    信号振幅比較部（制御信号検出手段、制御信号判別手段）
２３    ゼロ・クロス点抽出部
２４    クロック信号生成部（制御信号生成手段）
５１    光記録媒体
６１    光記録媒体
７１    光記録媒体
Ａ    アドレス領域
Ｃ１  クロックマーク長
Ｄ１  ビームスポット径
Ｇ    グルーブ
ＧＷ  トラック幅
Ｌ    ランド
ＬＷ  トラック幅Ｌ
Ｍ    ミラーマーク部
Ｐ    ピット
Ｒ    しきい値
Ｚ    ゼロ・クロス点
【図１】
0004776824.tif 000005
【図２】
0004776824.tif 000006
【図３】
0004776824.tif 000007
【図４】
0004776824.tif 000008
【図５】
0004776824.tif 000009
【図６】
0004776824.tif 000010
【図７】
0004776824.tif 000011
【図８】
0004776824.tif 000012
【図９】
0004776824.tif 000013
【図１０】
0004776824.tif 000014
【図１１】
0004776824.tif 000015
【図１２】
0004776824.tif 000016
【図１３】
0004776824.tif 000017
【図１４】
0004776824.tif 000018
【図１５】
0004776824.tif 000019
【図１６】
0004776824.tif 000020
【図１７】
0004776824.tif 000021
【図１８】
0004776824.tif 000022
【図１９】
0004776824.tif 000023
【図２０】
0004776824.tif 000024
【図２１】
0004776824.tif 000025